(57)【要約】光信号処理方法および光学構成要素（２０）が提供される。光学構成要素（２０）は、２つの完全に対称的な光経路を実装し得る。入力偏光状態が変化するとき、それら２つの光経路の挿入損失は変動せず、それら２つの光経路は同じ遅延を有し、それにより、光学構成要素（２０）の偏光無依存性を実装する。さらに、ただ１つの偏光感応性光学構成要素（２１）を使用することによって２つの光信号が処理され得る。一方では、ユーザのコストが低減される。他方では、光学構成要素（２０）は常に光の存在下にある。したがって、コントローラは、偏光無依存の光学構成要素（２１）のステータスを制御することができる。
2019531503.tif 000002
【特許請求の範囲】
【請求項１】
第１の光経路モジュールおよび偏光感応性光学構成要素を備える、光学構成要素であって、前記第１の光経路モジュールは、第１のビームスプリッティングサブモジュール、第１の入出力セパレータ、第１のビーム合成サブモジュール、および第２の入出力セパレータを備え、
前記第１のビームスプリッティングサブモジュールは、第１の入力端部を使用することによって入力光信号を受信し、前記入力光信号を、偏光状態が異なる第１の光信号および第２の光信号に分割することと、前記第１の光信号を、偏光状態が前記第２の光信号の偏光状態と同じである第３の光信号に変換することと、前記第３の光信号を前記第１の入出力セパレータに出力することと、前記第２の光信号を前記第２の入出力セパレータに出力することとを行うように構成されており、
前記第１の入出力セパレータは、前記第３の光信号を前記偏光感応性光学構成要素に出力するように構成されており、
前記第２の入出力セパレータは、前記第２の光信号を前記偏光感応性光学構成要素に出力するように構成されており、
前記偏光感応性光学構成要素は、前記第２の光信号に基づいて第４の光信号を取得することと、前記第３の光信号に基づいて第５の光信号を取得することと、前記第４の光信号および前記第５の光信号を前記第１の入出力セパレータおよび前記第２の入出力セパレータに出力することとを行うように構成されており、
前記第１の入出力セパレータは、前記第４の光信号を前記第１のビーム合成サブモジュールに出力するようにさらに構成されており、前記第２の入出力セパレータは、前記第５の光信号を前記第１のビーム合成サブモジュールに出力するようにさらに構成されており、
前記第１のビーム合成サブモジュールは、前記第４の光信号を、偏光状態が前記第５の光信号の偏光状態とは異なる第６の光信号に変換することと、前記第５の光信号および前記第６の光信号に対してビーム合成を実施することと、第１の出力端部を使用することによって、合成された光信号を出力することとを行うように構成されている、
光学構成要素。
【請求項２】
前記第４の光信号および前記第５の光信号は、それぞれ、前記第２の光信号および前記第３の光信号中にあり、前記偏光感応性光学構成要素の共振条件を満たす光信号である請求項１に記載の光学構成要素。
【請求項３】
第２の光経路モジュールをさらに備え、各第２の光経路モジュールは、第２のビームスプリッティングサブモジュール、第３の入出力セパレータ、第４の入出力セパレータ、および第２のビーム合成サブモジュールを備え、
前記偏光感応性光学構成要素は、前記第２の光信号に基づいて第７の光信号を取得することと、前記第３の光信号に基づいて第８の光信号を取得することと、前記第７の光信号および前記第８の光信号をそれぞれ前記第３の入出力セパレータおよび前記第４の入出力セパレータに出力することとを行うようにさらに構成されており、前記第７の光信号および前記第８の光信号は、それぞれ、前記第２の光信号および前記第３の光信号中にあり、前記偏光感応性光学構成要素の前記共振条件を満たさない光信号であり、
前記第３の入出力セパレータは、前記第７の光信号を前記第２のビーム合成サブモジュールに出力するように構成されており、
前記第４の入出力セパレータは、前記第８の光信号を前記第２のビーム合成サブモジュールに出力するように構成されており、
前記第２のビーム合成サブモジュールは、前記第７の光信号を、偏光状態が前記第８の光信号の偏光状態とは異なる第９の光信号に変換することと、前記第８の光信号および前記第９の光信号に対してビーム合成を実施することと、第２の出力端部を使用することによって、合成された光信号を出力することとを行うように構成されている
請求項２に記載の光学構成要素。
【請求項４】
前記第２のビームスプリッティングサブモジュールは、第２の入力端部を使用することによって入力光信号を受信し、前記入力光信号を、偏光状態が異なる第１０の光信号および第１１の光信号に分割することと、前記第１０の光信号を、偏光状態が前記第１１の光信号の偏光状態と同じである第１２の光信号に変換することと、前記第１２の光信号を前記第３の入出力セパレータに出力することと、前記第１１の光信号を前記第４の入出力セパレータに出力することとを行うように構成されており、
前記第３の入出力セパレータは、前記第１２の光信号を前記偏光感応性光学構成要素に出力するように構成されており、
前記第４の入出力セパレータは、前記第１１の光信号を前記偏光感応性光学構成要素に出力するように構成されており、
前記偏光感応性光学構成要素は、前記第１１の光信号に基づいて第１３の光信号を取得することと、前記第１２の光信号に基づいて第１４の光信号を取得することと、前記第１３の光信号および前記第１４の光信号を前記第３の入出力セパレータおよび前記第４の入出力セパレータに出力することとを行うように構成されており、
前記第３の入出力セパレータは、前記第１３の光信号を前記第２のビーム合成サブモジュールに出力するようにさらに構成されており、前記第４の入出力セパレータは、前記第１４の光信号を前記第２のビーム合成サブモジュールに出力するようにさらに構成されており、前記第１３の光信号および前記第１４の光信号は、それぞれ、前記第１１の光信号および前記第１２の光信号中にあり、前記偏光感応性光学構成要素の前記共振条件を満たす光信号であり、
前記第２のビーム合成サブモジュールは、前記第１３の光信号を、偏光状態が前記第１４の光信号の偏光状態とは異なる第１５の光信号に変換することと、前記第１４の光信号および前記第１５の光信号に対してビーム合成を実施することと、前記第２の出力端部を使用することによって、合成された光信号を出力することとを行うように構成されている
請求項３に記載の光学構成要素。
【請求項５】
前記偏光感応性光学構成要素は、前記第１１の光信号に基づいて第１６の光信号を取得することと、前記第１２の光信号に基づいて第１７の光信号を取得することと、前記第１６の光信号および前記第１７の光信号を前記第１の入出力セパレータおよび前記第２の入出力セパレータに出力することとを行うように構成されており、
前記第１の入出力セパレータは、前記第１６の光信号を前記第１のビーム合成サブモジュールに出力するようにさらに構成されており、前記第２の入出力セパレータは、前記第１７の光信号を前記第１のビーム合成サブモジュールに出力するようにさらに構成されており、前記第１６の光信号および前記第１７の光信号は、それぞれ、前記第１１の光信号および前記第１２の光信号中にあり、前記偏光感応性光学構成要素の前記共振条件を満たさない光信号であり、
前記第１のビーム合成サブモジュールは、前記第１６の光信号を、偏光状態が前記第１７の光信号の偏光状態とは異なる第１８の光信号に変換することと、前記第１７の光信号および前記第１８の光信号に対してビーム合成を実施することと、前記第１の出力端部を使用することによって、合成された光信号を出力することとを行うように構成されている
請求項４に記載の光学構成要素。
【請求項６】
前記第４の光信号および前記第５の光信号は、それぞれ、前記第２の光信号および前記第３の光信号中にあり、前記偏光感応性光学構成要素の共振条件を満たさない光信号である請求項１に記載の光学構成要素。
【請求項７】
第２の光経路モジュールをさらに備え、各第２の光経路モジュールは、第２のビームスプリッティングサブモジュール、第３の入出力セパレータ、第４の入出力セパレータ、および第２のビーム合成サブモジュールを備え、
前記偏光感応性光学構成要素は、前記第２の光信号に基づいて第７の光信号を取得し、前記第３の光信号に基づいて第８の光信号を取得し、前記第７の光信号および前記第８の光信号をそれぞれ前記第３の入出力セパレータおよび前記第４の入出力セパレータに出力し、前記第７の光信号および前記第８の光信号は、それぞれ、前記第２の光信号および前記第３の光信号中にあり、前記偏光感応性光学構成要素の前記共振条件を満たす光信号であり、
前記第３の入出力セパレータは、前記第７の光信号を前記第２のビーム合成サブモジュールに出力するように構成されており、
前記第４の入出力セパレータは、前記第８の光信号を前記第２のビーム合成サブモジュールに出力するように構成されており、
前記第２のビーム合成サブモジュールは、前記第７の光信号を、偏光状態が前記第８の光信号の偏光状態とは異なる第９の光信号に変換することと、前記第８の光信号および前記第９の光信号に対してビーム合成を実施することと、第２の出力端部を使用することによって、合成された光信号を出力することとを行うように構成されている
請求項６に記載の光学構成要素。
【請求項８】
前記第２のビームスプリッティングサブモジュールは、第２の入力端部を使用することによって入力光信号を受信し、前記入力光信号を、偏光状態が異なる第１０の光信号および第１１の光信号に分割することと、前記第１０の光信号を、偏光状態が前記第１１の光信号の偏光状態と同じである第１２の光信号に変換することと、前記第１２の光信号を前記第３の入出力セパレータに出力することと、前記第１１の光信号を前記第４の入出力セパレータに出力することとを行うように構成されており、
前記第３の入出力セパレータは、前記第１２の光信号を前記偏光感応性光学構成要素に出力するように構成されており、
前記第４の入出力セパレータは、前記第１１の光信号を前記偏光感応性光学構成要素に出力するように構成されており、
前記偏光感応性光学構成要素は、前記第１１の光信号に基づいて第１３の光信号を取得することと、前記第１２の光信号に基づいて第１４の光信号を取得することと、前記第１３の光信号および前記第１４の光信号を前記第３の入出力セパレータおよび前記第４の入出力セパレータに出力することとを行うように構成されており、
前記第３の入出力セパレータは、前記第１３の光信号を前記第４の入出力セパレータに出力するようにさらに構成されており、前記第４の入出力セパレータは、前記第１４の光信号を前記第３の入出力セパレータに出力するようにさらに構成されており、前記第１３の光信号および前記第１４の光信号は、それぞれ、前記第１１の光信号および前記第１２の光信号中にあり、前記偏光感応性光学構成要素の前記共振条件を満たさない光信号であり、
前記第２のビーム合成サブモジュールは、前記第１３の光信号を、偏光状態が前記第１４の光信号の偏光状態とは異なる第１５の光信号に変換することと、前記第１４の光信号および前記第１５の光信号に対してビーム合成を実施することと、前記第２の出力端部を使用することによって、合成された光信号を出力することとを行うように構成されている
請求項７に記載の光学構成要素。
【請求項９】
前記偏光感応性光学構成要素は、前記第１１の光信号に基づいて第１６の光信号を取得することと、前記第１２の光信号に基づいて第１７の光信号を取得することと、前記第１６の光信号および前記第１７の光信号を前記第１の入出力セパレータおよび前記第２の入出力セパレータに出力することとを行うように構成されており、
前記第１の入出力セパレータは、前記第１６の光信号を前記第１のビーム合成サブモジュールに出力するようにさらに構成されており、前記第２の入出力セパレータは、前記第１７の光信号を前記第１のビーム合成サブモジュールに出力するようにさらに構成されており、前記第１６の光信号および前記第１７の光信号は、それぞれ、前記第１１の光信号および前記第１２の光信号中にあり、前記偏光感応性光学構成要素の前記共振条件を満たす光信号であり、
前記第１のビームスプリッティングサブモジュールは、前記第１６の光信号を、偏光状態が前記第１７の光信号の偏光状態とは異なる第１８の光信号に変換することと、前記第１７の光信号および前記第１８の光信号に対してビーム合成を実施することと、前記第１の出力端部を使用することによって、合成された光信号を出力することとを行うように構成されている
請求項８に記載の光学構成要素。
【請求項１０】
前記偏光感応性光学構成要素は相反構成要素である請求項１乃至９のいずれか一項に記載の光学構成要素。
【請求項１１】
前記光学構成要素はモノリシックに組み込まれ得る請求項１乃至１０のいずれか一項に記載の光学構成要素。
【請求項１２】
前記第１の入出力セパレータはサーキュレータまたはカプラであり、
前記第２の入出力セパレータはサーキュレータまたはカプラである
請求項１乃至１１のいずれか一項に記載の光学構成要素。
【請求項１３】
光学構成要素によって、前記光学構成要素の第１の入力端部を使用することによって入力光信号を受信し、前記入力光信号を、偏光状態が異なる第１の光信号および第２の光信号に分割し、前記第１の光信号を、偏光状態が前記第２の光信号の偏光状態と同じである第３の光信号に変換するステップと、
前記光学構成要素によって、前記第２の光信号に基づいて第４の光信号を取得し、前記第３の光信号に基づいて第５の光信号を取得するステップと、
前記光学構成要素によって、前記第４の光信号を、偏光状態が前記第５の光信号の偏光状態とは異なる第６の光信号に変換し、前記第５の光信号および前記第６の光信号に対してビーム合成を実施し、前記光学構成要素の第１の出力端部を使用することによって、合成された光信号を出力するステップと
を備える、光信号処理方法。
【請求項１４】
前記光学構成要素は偏光感応性光学構成要素を備え、前記第４の光信号および前記第５の光信号は、それぞれ、前記第２の光信号および前記第３の光信号中にあり、前記偏光感応性光学構成要素の共振条件を満たす光信号である請求項１３に記載の方法。
【請求項１５】
前記光学構成要素によって、前記第２の光信号に基づいて第７の光信号を取得し、前記第３の光信号に基づいて第８の光信号を取得するステップであって、前記第７の光信号および前記第８の光信号が、それぞれ、前記第２の光信号および前記第３の光信号中にあり、前記偏光感応性光学構成要素の前記共振条件を満たさない光信号である、ステップと、
前記光学構成要素によって、前記第７の光信号を、偏光状態が前記第８の光信号の偏光状態とは異なる第９の光信号に変換し、前記第８の光信号および前記第９の光信号に対してビーム合成を実施し、前記光学構成要素の第２の出力端部を使用することによって、合成された光信号を出力するステップと
をさらに備える請求項１４に記載の方法。
【請求項１６】
前記光学構成要素によって、前記光学構成要素の第２の入力端部を使用することによって入力光信号を受信し、前記入力光信号を、偏光状態が異なる第１０の光信号および第１１の光信号に分割し、前記第１０の光信号を、偏光状態が前記第１１の光信号の偏光状態と同じである第１２の光信号に変換するステップと、
前記光学構成要素によって、前記第１１の光信号に基づいて第１３の光信号を取得し、前記第１２の光信号に基づいて第１４の光信号を取得するステップであって、前記第１３の光信号および前記第１４の光信号は、それぞれ、前記第１１の光信号および前記第１２の光信号中にあり、前記偏光感応性光学構成要素の前記共振条件を満たす光信号である、ステップと、
前記光学構成要素によって、前記第１３の光信号を、偏光状態が前記第１４の光信号の偏光状態とは異なる第１５の光信号に変換し、前記第１４の光信号および前記第１５の光信号に対してビーム合成を実施し、前記第２の出力端部を使用することによって、合成された光信号を出力するステップと
をさらに備える請求項１５に記載の方法。
【請求項１７】
前記光学構成要素によって、前記第１１の光信号に基づいて第１６の光信号を取得し、前記第１２の光信号に基づいて第１７の光信号を取得するステップであって、前記第１６の光信号および前記第１７の光信号は、それぞれ、前記第１１の光信号および前記第１２の光信号中にあり、前記偏光感応性光学構成要素の前記共振条件を満たさない光信号である、ステップと、
前記光学構成要素によって、前記第１６の光信号を、偏光状態が前記第１７の光信号の偏光状態とは異なる第１８の光信号に変換し、前記第１７の光信号および前記第１８の光信号に対してビーム合成を実施し、前記第１の出力端部を使用することによって、合成された光信号を出力するステップと
をさらに備える請求項１６に記載の方法。
【請求項１８】
前記光学構成要素は偏光感応性光学構成要素を備え、前記第４の光信号および前記第５の光信号は、それぞれ、前記第２の光信号および前記第３の光信号中にあり、前記偏光感応性光学構成要素の共振条件を満たさない光信号である請求項１３に記載の方法。
【請求項１９】
前記光学構成要素によって、前記第２の光信号に基づいて第７の光信号を取得し、前記第３の光信号に基づいて第８の光信号を取得するステップであって、前記第７の光信号および前記第８の光信号は、それぞれ、前記第２の光信号および前記第３の光信号中にあり、前記偏光感応性光学構成要素の前記共振条件を満たす光信号である、ステップと、
前記光学構成要素によって、前記第７の光信号を、偏光状態が前記第８の光信号の偏光状態とは異なる第９の光信号に変換し、前記第８の光信号および前記第９の光信号に対してビーム合成を実施し、前記光学構成要素の第２の出力端部を使用することによって、合成された光信号を出力するステップと
をさらに備える請求項１８に記載の方法。
【請求項２０】
前記光学構成要素によって、第２の入力端部を使用することによって入力光信号を受信し、前記入力光信号を、偏光状態が異なる第１０の光信号および第１１の光信号に分割し、前記第１０の光信号を、偏光状態が前記第１１の光信号の偏光状態と同じである第１２の光信号に変換するステップと、
前記光学構成要素によって、前記第１１の光信号に基づいて第１３の光信号を取得し、前記第１２の光信号に基づいて第１４の光信号を取得するステップであって、前記第１３の光信号および前記第１４の光信号は、それぞれ、前記第１１の光信号および前記第１２の光信号中にあり、前記偏光感応性光学構成要素の前記共振条件を満たさない光信号である、ステップと、
前記光学構成要素によって、前記第１３の光信号を、偏光状態が前記第１４の光信号の偏光状態とは異なる第１５の光信号に変換し、前記第１４の光信号および前記第１５の光信号に対してビーム合成を実施し、前記第２の出力端部を使用することによって、合成された光信号を出力するステップと
をさらに備える請求項１９に記載の方法。
【請求項２１】
前記光学構成要素によって、前記第１１の光信号に基づいて第１６の光信号を取得し、前記第１２の光信号に基づいて第１７の光信号を取得するステップであって、前記第１６の光信号および前記第１７の光信号は、それぞれ、前記第１１の光信号および前記第１２の光信号中にあり、前記偏光感応性光学構成要素の前記共振条件を満たす光信号である、ステップと、
前記光学構成要素によって、前記第１６の光信号を、偏光状態が前記第１７の光信号の偏光状態とは異なる第１８の光信号に変換し、前記第１７の光信号および前記第１８の光信号に対してビーム合成を実施し、前記第１の出力端部を使用することによって、合成された光信号を出力するステップと
をさらに備える請求項２０に記載の方法。
【発明の詳細な説明】
【技術分野】
【０００１】
本発明の実施形態は、通信技術に関し、特に、光信号処理方法および光学構成要素に関する。
【背景技術】
【０００２】
光通信システムにおいて、レーザーの出力は、通常、直線偏光であるが、光信号を送信する通常のシングルモードファイバー（Ｓｉｎｇｌｅ−Ｍｏｄｅ  Ｆｉｂｅｒ、略してＳＭＦ）は偏光無依存である。したがって、長距離のために送信される光信号の偏光状態はランダムである。ファイバーリンク中の光学構成要素が偏光依存である場合、偏光依存損失（Ｐｏｌａｒｉｚａｔｉｏｎ−Ｄｅｐｅｎｄｅｎｔ  Ｌｏｓｓ、略してＰＤＬ）および偏波モード分散（Ｐｏｌａｒｉｚａｔｉｏｎ  Ｍｏｄｅ  Ｄｉｓｐｅｒｓｉｏｎ、略してＰＭＤ）が引き起こされ得る。したがって、ファイバーリンク中の光学構成要素は偏光無依存であることが通常要求され、すなわち、ファイバーリンク中の光学構成要素は偏光非感応性であることが通常要求される。
【０００３】
図１は、従来技術における偏光無依存の光学構成要素の概略図である。図１に示されているように、偏光無依存の光学構成要素は、１つの偏光ビームスプリッタ（Ｐｏｌａｒｉｚａｔｉｏｎ  Ｂｅａｍ  Ｓｐｌｉｔｔｅｒ、略してＰＢＳ）１１、２つの偏光回転子（Ｐｏｌａｒｉｚａｔｉｏｎ  Ｒｏｔａｔｏｒ、略してＰＲ）、すなわち、ＰＲ１２およびＰＲ１３、ならびに２つの偏光感応性光学構成要素、すなわち、偏光感応性光学構成要素１４および偏光感応性光学構成要素１５を含み、１つの偏光ビームコンバイナ（Ｐｏｌａｒｉｚａｔｉｏｎ  Ｂｅａｍ  Ｃｏｍｂｉｎｅｒ、略してＰＢＣ）１６をさらに含む。特に、入力光信号は、最初にＰＢＳ１１によって２つの光信号、すなわち、横電気（ｔｒａｎｓｖｅｒｓｅ  ｅｌｅｃｔｒｉｃ、略してＴＥ）光信号および横磁気（ｔｒａｎｓｖｅｒｓｅ  ｍａｇｎｅｔｉｃ、略してＴＭ）光信号に分割される。ＴＭ光信号は、ＰＲ１２によってＴＥ光信号に変換され、ＴＥTMとして記録される。このようにして、入力光信号は、同じ偏光状態で２つの光信号にリアルタイムで分割される。偏光感応性光学構成要素１４および偏光感応性光学構成要素１５は、それぞれＴＥ光信号およびＴＥTM光信号を処理する。ＰＲ１３は、回転されていないＴＥ光信号に対して偏光回転を実施し、回転されていないＴＥ光信号をＴＭTE光信号に変換する。最後に、ＰＢＣ１６は、ＴＥTM光信号およびＴＭTE光信号に対してビーム合成を実施し、出力端部から、合成されたビームを出力する。
【０００４】
しかしながら、一方では、上記の偏光無依存の光学構成要素は、偏光無依存性を実装するために２つの偏光感応性光学構成要素を含む必要がある。これはユーザのコストを増加させる。他方では、時間セグメント中に、偏光感応性光学構成要素１４によって送信されるＴＥ光信号のパワーまたは偏光感応性光学構成要素１５によって送信されるＴＥTM光信号のパワーは０であり得る。コントローラが光の存在下で偏光無依存の光学構成要素を制御する必要がある場合、この事例では、コントローラは、偏光無依存の光学構成要素のステータスを制御することが不可能であり得る。たとえば、コントローラは、偏光感応性光学構成要素１４および偏光感応性光学構成要素１５の光パワーをリアルタイムで監視する必要があるが、偏光感応性光学構成要素１４または偏光感応性光学構成要素１５の光信号のパワーは、コントローラにおいて設定されているしきい値よりも小さいことがある。結果的に、コントローラは、偏光無依存の光学構成要素のステータスを制御することができない。
【発明の概要】
【発明が解決しようとする課題】
【０００５】
本発明の実施形態は、光学構成要素の偏光無依存性を実装しユーザのコストを低減するための、光信号処理方法および光学構成要素を提供する。加えて、光学構成要素は常に光の存在下にある。したがって、コントローラは、偏光無依存の光学構成要素のステータスを制御することができる。
【課題を解決するための手段】
【０００６】
第１の態様によれば、本発明の一実施形態は、第１の光経路モジュールおよび偏光感応性光学構成要素を含む、光学構成要素を提供し、第１の光経路モジュールは、第１のビームスプリッティングサブモジュール、第１の入出力セパレータ、第１のビーム合成サブモジュール、および第２の入出力セパレータを含み、
第１のビームスプリッティングサブモジュールは、第１の入力端部を使用することによって入力光信号を受信し、入力光信号を、偏光状態が異なる第１の光信号および第２の光信号に分割することと、第１の光信号を、偏光状態が第２の光信号の偏光状態と同じである第３の光信号に変換することと、第３の光信号を第１の入出力セパレータに出力することと、第２の光信号を第２の入出力セパレータに出力することとを行うように構成されており、
第１の入出力セパレータは、第３の光信号を偏光感応性光学構成要素に出力するように構成されており、
第２の入出力セパレータは、第２の光信号を偏光感応性光学構成要素に出力するように構成されており、
偏光感応性光学構成要素は、第２の光信号に基づいて第４の光信号を取得することと、第３の光信号に基づいて第５の光信号を取得することと、第４の光信号および第５の光信号を第１の入出力セパレータおよび第２の入出力セパレータに出力することとを行うように構成されており、
第１の入出力セパレータは、第４の光信号を第１のビーム合成サブモジュールに出力するようにさらに構成されており、第２の入出力セパレータは、第５の光信号を第１のビーム合成サブモジュールに出力するようにさらに構成されており、
第１のビーム合成サブモジュールは、第４の光信号を、偏光状態が第５の光信号の偏光状態とは異なる第６の光信号に変換することと、第５の光信号および第６の光信号に対してビーム合成を実施することと、第１の出力端部を使用することによって、合成された光信号を出力することとを行うように構成されている。
【０００７】
第１の光信号および第２の光信号がそれの中を通過する光学構成要素のタイプおよび量は同じであり、すなわち、光学構成要素は、２つの完全に対称的な光経路を実装することができる。入力偏光状態が変化するとき、それら２つの光経路の挿入損失は変動せず、それら２つの光経路は同じ遅延を有し、それにより、光学構成要素の偏光無依存性を実装する。さらに、ただ１つの偏光感応性光学構成要素を使用することによって２つの光信号が処理され得る。一方では、ユーザのコストが低減される。他方では、光学構成要素は常に光の存在下にある。したがって、コントローラは、偏光無依存の光学構成要素のステータスを制御することができる。
【０００８】
第１の任意選択の様式では、第４の光信号および第５の光信号は、それぞれ、第２の光信号および第３の光信号中にあり、偏光感応性光学構成要素の共振条件を満たす光信号である。
【０００９】
第２の任意選択の様式では、第４の光信号および第５の光信号は、それぞれ、第２の光信号および第３の光信号中にあり、偏光感応性光学構成要素の共振条件を満たさない光信号である。
【００１０】
第１の任意選択の様式に基づいて提供される光学構成要素は、第２の光経路モジュールをさらに含み、各第２の光経路モジュールは、第２のビームスプリッティングサブモジュール、第３の入出力セパレータ、第４の入出力セパレータ、および第２のビーム合成サブモジュールを含み、第２のビームスプリッティングサブモジュールは第２の入力端部を有し、第２のビーム合成サブモジュールは第２の出力端部を有し、
偏光感応性光学構成要素は、第２の光信号に基づいて第７の光信号を取得することと、第３の光信号に基づいて第８の光信号を取得することと、第７の光信号および第８の光信号をそれぞれ第３の入出力セパレータおよび第４の入出力セパレータに出力することとを行うようにさらに構成されており、第７の光信号および第８の光信号は、それぞれ、第２の光信号および第３の光信号中にあり、偏光感応性光学構成要素の共振条件を満たさない光信号であり、
第３の入出力セパレータは、第７の光信号を第２のビーム合成サブモジュールに出力するように構成されており、
第４の入出力セパレータは、第８の光信号を第２のビーム合成サブモジュールに出力するように構成されており、
第２のビーム合成サブモジュールは、第７の光信号を、偏光状態が第８の光信号の偏光状態とは異なる第９の光信号に変換することと、第８の光信号および第９の光信号に対してビーム合成を実施することと、第２の出力端部を使用することによって、合成された光信号を出力することとを行うように構成されている。
【００１１】
結論として、偏光感応性光学構成要素の共振条件を満たさない第１の光経路モジュールにおける第７の光信号および第８の光信号がそれの中を通過する光学構成要素のタイプおよび量は同じである。すなわち、本発明のこの実施形態において提供される光学構成要素は、２つの完全に対称的な光経路を実装することができる。入力偏光状態が変化するとき、それら２つの光経路の挿入損失は変動せず、それら２つの光経路は同じ遅延を有し、それにより、光学構成要素の偏光無依存性を実装する。さらに、本発明のこの実施形態では、ただ１つの偏光感応性光学構成要素を使用することによって２つの光信号が処理され得る。一方では、ユーザのコストが低減される。他方では、光学構成要素は常に光の存在下にある。したがって、コントローラは、偏光無依存の光学構成要素のステータスを制御することができる。
【００１２】
任意選択で、第２のビームスプリッティングサブモジュールは、第２の入力端部を使用することによって入力光信号を受信し、入力光信号を、偏光状態が異なる第１０の光信号および第１１の光信号に分割することと、第１０の光信号を、偏光状態が第１１の光信号の偏光状態と同じである第１２の光信号に変換することと、第１２の光信号を第３の入出力セパレータに出力することと、第１１の光信号を第４の入出力セパレータに出力することとを行うように構成されており、
第３の入出力セパレータは、第１２の光信号を偏光感応性光学構成要素に出力するように構成されており、
第４の入出力セパレータは、第１１の光信号を偏光感応性光学構成要素に出力するように構成されており、
偏光感応性光学構成要素は、第１１の光信号に基づいて第１３の光信号を取得することと、第１２の光信号に基づいて第１４の光信号を取得することと、第１３の光信号および第１４の光信号を第３の入出力セパレータおよび第４の入出力セパレータに出力することとを行うように構成されており、
第３の入出力セパレータは、第１３の光信号を第２のビーム合成サブモジュールに出力するようにさらに構成されており、第４の入出力セパレータは、第１４の光信号を第２のビーム合成サブモジュールに出力するようにさらに構成されており、第１３の光信号および第１４の光信号は、それぞれ、第１１の光信号および第１２の光信号中にあり、偏光感応性光学構成要素の共振条件を満たす光信号であり、
第２のビーム合成サブモジュールは、第１３の光信号を、偏光状態が第１４の光信号の偏光状態とは異なる第１５の光信号に変換することと、第１４の光信号および第１５の光信号に対してビーム合成を実施することと、第２の出力端部を使用することによって、合成された光信号を出力することとを行うように構成されている。
【００１３】
結論として、偏光感応性光学構成要素の共振条件を満たす第２の光経路モジュールにおける第１４の光信号および第１５の光信号がそれの中を通過する光学構成要素のタイプおよび量は同じである。すなわち、本発明のこの実施形態において提供される光学構成要素は、２つの完全に対称的な光経路を実装することができる。入力偏光状態が変化するとき、それら２つの光経路の挿入損失は変動せず、それら２つの光経路は同じ遅延を有し、それにより、光学構成要素の偏光無依存性を実装する。さらに、本発明のこの実施形態では、ただ１つの偏光感応性光学構成要素を使用することによって２つの光信号が処理され得る。一方では、ユーザのコストが低減される。他方では、光学構成要素は常に光の存在下にある。したがって、コントローラは、偏光無依存の光学構成要素のステータスを制御することができる。
【００１４】
任意選択で、偏光感応性光学構成要素は、第１１の光信号に基づいて第１６の光信号を取得することと、第１２の光信号に基づいて第１７の光信号を取得することと、第１６の光信号および第１７の光信号を第１の入出力セパレータおよび第２の入出力セパレータに出力することとを行うように構成されており、
第１の入出力セパレータは、第１６の光信号を第１のビーム合成サブモジュールに出力するようにさらに構成されており、第２の入出力セパレータは、第１７の光信号を第１のビーム合成サブモジュールに出力するようにさらに構成されており、第１６の光信号および第１７の光信号は、それぞれ、第１１の光信号および第１２の光信号中にあり、偏光感応性光学構成要素の共振条件を満たさない光信号であり、
第１のビーム合成サブモジュールは、第１６の光信号を、偏光状態が第１７の光信号の偏光状態とは異なる第１８の光信号に変換することと、第１７の光信号および第１８の光信号に対してビーム合成を実施することと、第１の出力端部を使用することによって、合成された光信号を出力することとを行うように構成されている。
【００１５】
結論として、偏光感応性光学構成要素の共振条件を満たさない第２の光経路モジュールにおける第１６の光信号および第１７の光信号がそれの中を通過する光学構成要素のタイプおよび量は同じである。すなわち、本発明のこの実施形態において提供される光学構成要素は、２つの完全に対称的な光経路を実装することができる。入力偏光状態が変化するとき、それら２つの光経路の挿入損失は変動せず、それら２つの光経路は同じ遅延を有し、それにより、光学構成要素の偏光無依存性を実装する。さらに、本発明のこの実施形態では、ただ１つの偏光感応性光学構成要素を使用することによって２つの光信号が処理され得る。一方では、ユーザのコストが低減される。他方では、光学構成要素は常に光の存在下にある。したがって、コントローラは、偏光無依存の光学構成要素のステータスを制御することができる。
【００１６】
第２の任意選択の様式に基づいて提供される光学構成要素について以下で説明される。その光学構成要素の機能は、第１の任意選択の様式に基づいて提供される光学構成要素の機能と同様である。それに基づいて、第２の任意選択の様式において提供される光学構成要素に対応する技術的効果について本明細書では再び説明されない。
【００１７】
第２の任意選択の様式に基づいて提供される光学構成要素は、第２の光経路モジュールをさらに含み、各第２の光経路モジュールは、第２のビームスプリッティングサブモジュール、第３の入出力セパレータ、第４の入出力セパレータ、および第２のビーム合成サブモジュールを含み、第２のビームスプリッティングサブモジュールは第２の入力端部を有し、第２のビーム合成サブモジュールは第２の出力端部を有し、
偏光感応性光学構成要素は、第２の光信号に基づいて第７の光信号を取得し、第３の光信号に基づいて第８の光信号を取得し、第７の光信号および第８の光信号をそれぞれ第３の入出力セパレータおよび第４の入出力セパレータに出力し、第７の光信号および第８の光信号は、それぞれ、第２の光信号および第３の光信号中にあり、偏光感応性光学構成要素の共振条件を満たす光信号であり、
第３の入出力セパレータは、第７の光信号を第２のビーム合成サブモジュールに出力するように構成されており、
第４の入出力セパレータは、第８の光信号を第２のビーム合成サブモジュールに出力するように構成されており、
第２のビーム合成サブモジュールは、第７の光信号を、偏光状態が第８の光信号の偏光状態とは異なる第９の光信号に変換することと、第８の光信号および第９の光信号に対してビーム合成を実施することと、第２の出力端部を使用することによって、合成された光信号を出力することとを行うように構成されている。
【００１８】
任意選択で、第２のビームスプリッティングサブモジュールは、第２の入力端部を使用することによって入力光信号を受信し、入力光信号を、偏光状態が異なる第１０の光信号および第１１の光信号に分割することと、第１０の光信号を、偏光状態が第１１の光信号の偏光状態と同じである第１２の光信号に変換することと、第１２の光信号を第３の入出力セパレータに出力することと、第１１の光信号を第４の入出力セパレータに出力することとを行うように構成されており、
第３の入出力セパレータは、第１２の光信号を偏光感応性光学構成要素に出力するように構成されており、
第４の入出力セパレータは、第１１の光信号を偏光感応性光学構成要素に出力するように構成されており、
偏光感応性光学構成要素は、第１１の光信号に基づいて第１３の光信号を取得することと、第１２の光信号に基づいて第１４の光信号を取得することと、第１３の光信号および第１４の光信号を第３の入出力セパレータおよび第４の入出力セパレータに出力することとを行うように構成されており、
第３の入出力セパレータは、第１３の光信号を第４の入出力セパレータに出力するようにさらに構成されており、第４の入出力セパレータは、第１４の光信号を第３の入出力セパレータに出力するようにさらに構成されており、第１３の光信号および第１４の光信号は、それぞれ、第１１の光信号および第１２の光信号中にあり、偏光感応性光学構成要素の共振条件を満たさない光信号であり、
第２のビーム合成サブモジュールは、第１３の光信号を、偏光状態が第１４の光信号の偏光状態とは異なる第１５の光信号に変換することと、第１４の光信号および第１５の光信号に対してビーム合成を実施することと、第２の出力端部を使用することによって、合成された光信号を出力することとを行うように構成されている。
【００１９】
任意選択で、偏光感応性光学構成要素は、第１１の光信号に基づいて第１６の光信号を取得することと、第１２の光信号に基づいて第１７の光信号を取得することと、第１６の光信号および第１７の光信号を第１の入出力セパレータおよび第２の入出力セパレータに出力することとを行うように構成されており、
第１の入出力セパレータは、第１６の光信号を第１のビーム合成サブモジュールに出力するようにさらに構成されており、第２の入出力セパレータは、第１７の光信号を第１のビーム合成サブモジュールに出力するようにさらに構成されており、第１６の光信号および第１７の光信号は、それぞれ、第１１の光信号および第１２の光信号中にあり、偏光感応性光学構成要素の共振条件を満たす光信号であり、
第１のビームスプリッティングサブモジュールは、第１６の光信号を、偏光状態が第１７の光信号の偏光状態とは異なる第１８の光信号に変換することと、第１７の光信号および第１８の光信号に対してビーム合成を実施することと、第１の出力端部を使用することによって、合成された光信号を出力することとを行うように構成されている。
【００２０】
任意選択で、偏光感応性光学構成要素は相反光学構成要素である。
【００２１】
任意選択で、光学構成要素はモノリシックに組み込まれ得る。
【００２２】
任意選択で、第１の入出力セパレータはサーキュレータまたはカプラであり、第２の入出力セパレータはサーキュレータまたはカプラである。
【００２３】
本発明の一実施形態において提供される光信号処理方法について以下で説明される。本方法は上記の光学構成要素に対応し、対応する内容中の技術的効果は同じである。詳細について本明細書では再び説明されない。
【００２４】
第２の態様によれば、本発明の一実施形態は、
光学構成要素によって、光学構成要素の第１の入力端部を使用することによって入力光信号を受信し、入力光信号を、偏光状態が異なる第１の光信号および第２の光信号に分割し、第１の光信号を、偏光状態が第２の光信号の偏光状態と同じである第３の光信号に変換するステップと、
光学構成要素によって、第２の光信号に基づいて第４の光信号を取得し、第３の光信号に基づいて第５の光信号を取得するステップと、
光学構成要素によって、第４の光信号を、偏光状態が第５の光信号の偏光状態とは異なる第６の光信号に変換し、第５の光信号および第６の光信号に対してビーム合成を実施し、光学構成要素の第１の出力端部を使用することによって、合成された光信号を出力するステップと
を含む、光信号処理方法を提供する。
【００２５】
任意選択で、光学構成要素は偏光感応性光学構成要素を含み、第４の光信号および第５の光信号は、それぞれ、第２の光信号および第３の光信号中にあり、偏光感応性光学構成要素の共振条件を満たす光信号である。
【００２６】
任意選択で、本方法は、光学構成要素によって、第２の光信号に基づいて第７の光信号を取得し、第３の光信号に基づいて第８の光信号を取得するステップであって、第７の光信号および第８の光信号は、それぞれ、第２の光信号および第３の光信号中にあり、偏光感応性光学構成要素の共振条件を満たさない光信号である、ステップと、
光学構成要素によって、第７の光信号を、偏光状態が第８の光信号の偏光状態とは異なる第９の光信号に変換し、第８の光信号および第９の光信号に対してビーム合成を実施し、光学構成要素の第２の出力端部を使用することによって、合成された光信号を出力するステップと
をさらに含む。
【００２７】
任意選択で、本方法は、光学構成要素によって、光学構成要素の第２の入力端部を使用することによって入力光信号を受信し、入力光信号を、偏光状態が異なる第１０の光信号および第１１の光信号に分割し、第１０の光信号を、偏光状態が第１１の光信号の偏光状態と同じである第１２の光信号に変換するステップと、
光学構成要素によって、第１１の光信号に基づいて第１３の光信号を取得し、第１２の光信号に基づいて第１４の光信号を取得するステップであって、第１３の光信号および第１４の光信号は、それぞれ、第１１の光信号および第１２の光信号中にあり、偏光感応性光学構成要素の共振条件を満たす光信号である、ステップと、
光学構成要素によって、第１３の光信号を、偏光状態が第１４の光信号の偏光状態とは異なる第１５の光信号に変換し、第１４の光信号および第１５の光信号に対してビーム合成を実施し、第２の出力端部を使用することによって、合成された光信号を出力するステップと
をさらに含む。
【００２８】
任意選択で、本方法は、光学構成要素によって、第１１の光信号に基づいて第１６の光信号を取得し、第１２の光信号に基づいて第１７の光信号を取得するステップであって、第１６の光信号および第１７の光信号は、それぞれ、第１１の光信号および第１２の光信号中にあり、偏光感応性光学構成要素の共振条件を満たさない光信号である、ステップと、
光学構成要素によって、第１６の光信号を、偏光状態が第１７の光信号の偏光状態とは異なる第１８の光信号に変換し、第１７の光信号および第１８の光信号に対してビーム合成を実施し、第１の出力端部を使用することによって、合成された光信号を出力するステップと
をさらに含む。
【００２９】
任意選択で、光学構成要素は偏光感応性光学構成要素を含み、第４の光信号および第５の光信号は、それぞれ、第２の光信号および第３の光信号中にあり、偏光感応性光学構成要素の共振条件を満たさない光信号である。
【００３０】
任意選択で、本方法は、光学構成要素によって、第２の光信号に基づいて第７の光信号を取得し、第３の光信号に基づいて第８の光信号を取得するステップであって、第７の光信号および第８の光信号は、それぞれ、第２の光信号および第３の光信号中にあり、偏光感応性光学構成要素の共振条件を満たす光信号である、ステップと、
光学構成要素によって、第７の光信号を、偏光状態が第８の光信号の偏光状態とは異なる第９の光信号に変換し、第８の光信号および第９の光信号に対してビーム合成を実施し、光学構成要素の第２の出力端部を使用することによって、合成された光信号を出力するステップと
をさらに含む。
【００３１】
任意選択で、本方法は、光学構成要素によって、第２の入力端部を使用することによって入力光信号を受信し、入力光信号を、偏光状態が異なる第１０の光信号および第１１の光信号に分割し、第１０の光信号を、偏光状態が第１１の光信号の偏光状態と同じである第１２の光信号に変換するステップと、
光学構成要素によって、第１１の光信号に基づいて第１３の光信号を取得し、第１２の光信号に基づいて第１４の光信号を取得するステップであって、第１３の光信号および第１４の光信号は、それぞれ、第１１の光信号および第１２の光信号中にあり、偏光感応性光学構成要素の共振条件を満たさない光信号である、ステップと、
光学構成要素によって、第１３の光信号を、偏光状態が第１４の光信号の偏光状態とは異なる第１５の光信号に変換し、第１４の光信号および第１５の光信号に対してビーム合成を実施し、第２の出力端部を使用することによって、合成された光信号を出力するステップと
をさらに含む。
【００３２】
任意選択で、本方法は、光学構成要素によって、第１１の光信号に基づいて第１６の光信号を取得し、第１２の光信号に基づいて第１７の光信号を取得し、それにより、第１６の光信号および第１７の光信号が取得されるステップであって、第１６の光信号および第１７の光信号は、それぞれ、第１１の光信号および第１２の光信号中にあり、偏光感応性光学構成要素の共振条件を満たす光信号である、ステップと、
光学構成要素によって、第１６の光信号を、偏光状態が第１７の光信号の偏光状態とは異なる第１８の光信号に変換し、第１７の光信号および第１８の光信号に対してビーム合成を実施し、第１の出力端部を使用することによって、合成された光信号を出力するステップと
をさらに含む。
【発明の効果】
【００３３】
本発明の実施形態は、光信号処理方法および光学構成要素を提供する。光学構成要素は、第１の光経路モジュールおよび偏光感応性光学構成要素を含む。第１の光経路モジュールは、第１のビームスプリッティングサブモジュール、第１の入出力セパレータ、第１のビーム合成サブモジュール、および第２の入出力セパレータを含む。第１のビームスプリッティングサブモジュールは、第１の入力端部を使用することによって入力光信号を受信し、入力光信号を、偏光状態が異なる第１の光信号および第２の光信号に分割することと、第１の光信号を、偏光状態が第２の光信号の偏光状態と同じである第３の光信号に変換することと、第３の光信号を第１の入出力セパレータに出力することと、第２の光信号を第２の入出力セパレータに出力することとを行うように構成されている。第１の入出力セパレータは、第３の信号を偏光感応性光学構成要素に出力するように構成されている。第２の入出力セパレータは、第２の光信号を偏光感応性光学構成要素に出力するように構成されている。偏光感応性光学構成要素は、第２の光信号および第３の光信号に対して等価な処理を実施して、それぞれ第４の光信号および第５の光信号を取得することと、第４の光信号および第５の光信号を第１の入出力セパレータおよび第２の入出力セパレータに出力することとを行うように構成されている。第１の入出力セパレータは、第４の光信号を第１のビーム合成モジュールに出力するようにさらに構成されており、第２の入出力セパレータは、第５の光信号を第１のビーム合成モジュールに出力するようにさらに構成されている。第１のビーム合成サブモジュールは、第４の光信号を、偏光状態が第５の光信号の偏光状態とは異なる第６の光信号に変換することと、第５の光信号および第６の光信号に対してビーム合成を実施することと、第１の出力端部を使用することによって、合成された光信号を出力することとを行うように構成されている。このようにして、光学構成要素の偏光無依存性が実装される。さらに、ただ１つの偏光感応性光学構成要素を使用することによって２つの光信号が処理され得る。一方では、ユーザのコストが低減される。他方では、光学構成要素は常に光の存在下にある。したがって、コントローラは、偏光無依存の光学構成要素のステータスを制御することができる。
【図面の簡単な説明】
【００３４】
本発明の実施形態または従来技術における技術的解決策についてより明らかに説明するために、以下で、本実施形態または従来技術について説明するために必要な添付の図面について手短に説明する。明らかに、以下の説明における添付の図面は、本発明のいくつかの実施形態を示すものにすぎず、当業者は、創造的な取組みなしにこれらの添付の図面から他の図面をさらに導出し得る。
【００３５】
【図１】従来技術における偏光無依存の光学構成要素の概略図である。
【図２】本発明の一実施形態による光学構成要素の概略図である。
【図２Ａ】本発明の一実施形態による光学構成要素における光信号の送信の概略図である。
【図２Ｂ】本発明の別の実施形態による光学構成要素における光信号の送信の概略図である。
【図３】本発明の別の実施形態による光学構成要素の概略図である。
【図４Ａ】本発明の一実施形態によるマイクロリングフィルタの概略図である。
【図４Ｂ】本発明の別の実施形態によるマイクロリングフィルタの概略図である。
【図５】本発明の一実施形態によるサーキュレータの概略図である。
【図６Ａ】本発明の一実施形態による光学構成要素および光信号の送信の概略図である。
【図６Ｂ】本発明の別の実施形態による光学構成要素および光信号の送信の概略図である。
【図６Ｃ】本発明のさらに別の実施形態による光学構成要素および光信号の送信の概略図である。
【図７】本発明のさらに別の実施形態による光学構成要素の概略図である。
【図８Ａ】本発明の一実施形態による光学構成要素および光信号の送信の概略図である。
【図８Ｂ】本発明の別の実施形態による光学構成要素および光信号の送信の概略図である。
【図８Ｃ】本発明のさらに別の実施形態による光学構成要素および光信号の送信の概略図である。
【図９】本発明のまた別の実施形態による光学構成要素の概略図である。
【図１０】本発明の一実施形態による光信号処理方法のフローチャートである。
【図１１】本発明の別の実施形態による光信号処理方法のフローチャートである。
【図１２】本発明のさらに別の実施形態による光信号処理方法のフローチャートである。
【図１３】本発明のまた別の実施形態による光信号処理方法のフローチャートである。
【図１４】本発明のさらにまた別の実施形態による光信号処理方法のフローチャートである。
【図１５】本発明のさらなる実施形態による光信号処理方法のフローチャートである。
【図１６】本発明のまたさらなる実施形態による光信号処理方法のフローチャートである。
【発明を実施するための形態】
【００３６】
以下で、本発明の実施形態における添付の図面を参照しながら、本発明の実施形態における技術的解決策について明確におよび完全に説明する。明らかに、説明される実施形態は、本発明の実施形態のすべてではなく一部にすぎない。創造的な取組みなしに本発明の実施形態に基づいて当業者によって取得されるすべての他の実施形態は、本発明の保護範囲内に入るものである。
【００３７】
偏光無依存の光学構成要素は偏光無依存性を実装するために２つの偏光感応性光学構成要素を含む必要があるのでユーザのコストが増加されるという従来技術における問題、およびコントローラは偏光無依存の光学構成要素のステータスを制御することが不可能であり得るという問題を解決するために、本発明の実施形態は光信号処理方法および光学構成要素を提供する。
【００３８】
図２は、本発明の一実施形態による光学構成要素の概略図である。図２に示されているように、光学構成要素２０は、第１の光経路モジュールおよび偏光感応性光学構成要素２１を含む。第１の光経路モジュールは、第１のビームスプリッティングサブモジュール２２、第１の入出力セパレータ２３、第２の入出力セパレータ２４、および第１のビーム合成サブモジュール２５を含む。第１のビームスプリッティングサブモジュール２２は第１の入力端部を有する。第１のビーム合成サブモジュール２５は第１の出力端部を有する。
【００３９】
特に、第１のビームスプリッティングサブモジュール２２は、第１の入力端部を使用することによって入力光信号を受信し、入力光信号を、偏光状態が異なる第１の光信号および第２の光信号に分割することと、第１の光信号を、偏光状態が第２の光信号の偏光状態と同じである第３の光信号に変換することと、第３の光信号を第１の入出力セパレータ２３に出力することと、第２の光信号を第２の入出力セパレータ２４に出力することとを行うように構成されている。第１の入出力セパレータ２３は、第３の信号を偏光感応性光学構成要素２１に出力するように構成されている。第２の入出力セパレータ２４は、第２の光信号を偏光感応性光学構成要素２１に出力するように構成されている。偏光感応性光学構成要素２１は、第２の光信号に基づいて第４の光信号を取得することと、第３の光信号に基づいて第５の光信号を取得することとを行うように構成されている。
【００４０】
偏光感応性光学構成要素２１は、第４の光信号および第５の光信号をそれぞれ第１の入出力セパレータ２３および第２の入出力セパレータ２４に出力する。第１の入出力セパレータ２３は、第４の光信号を第１のビーム合成モジュール２５に出力するようにさらに構成されている。第２の入出力セパレータ２４は、第５の光信号を第１のビーム合成モジュール２５に出力するようにさらに構成されている。第１のビーム合成サブモジュール２５は、第４の光信号を、偏光状態が第５の光信号の偏光状態とは異なる第６の光信号に変換することと、第５の光信号および第６の光信号に対してビーム合成を実施することと、第１の出力端部を使用することによって、合成された光信号を出力することとを行うように構成されている。
【００４１】
理解を容易にするために、第ｉの光信号は、本明細書では偏光状態ｉによって表される。たとえば、第１の光信号がＴＥ光信号であるとき、第１の光信号はＴＥ１として表される。
【００４２】
図２Ａは、本発明の一実施形態による光学構成要素における光信号の送信の概略図である。図２Ａに示されているように、入力光信号はＴＥ１およびＴＭ２である。上記の第１の光信号はＴＥ１光信号であってよく、第２の光信号はＴＭ２光信号であってよい。対応して、第３の光信号はＴＥTM３光信号であり、第４の光信号の偏光状態はＴＭ４であり、第５の光信号の偏光状態はさらにＴＥTM５であり、第６の光信号の偏光状態はＴＭTE６であり、出力光信号の偏光状態はＴＥTM５およびＴＭTE６である。
【００４３】
図２Ｂは、本発明の別の実施形態による光学構成要素における光信号の送信の概略図である。図２Ｂに示されているように、上記の第１の光信号はＴＭ１光信号であってよく、第２の光信号はＴＥ２光信号であってよい。対応して、第３の光信号はＴＭTE３光信号であり、第４の光信号の偏光状態はさらにＴＥ４であり、第５の光信号の偏光状態はさらにＴＭTE５であり、第６の光信号はＴＥTM６である。
【００４４】
図１に示されている光学構成要素に基づいて、さらに、図３は、本発明の別の実施形態による光学構成要素の概略図である。図３に示されているように、第１のビームスプリッティングサブモジュールは、偏光ビームスプリッタＰＢＳ２２１および偏光回転子ＰＲ２２２を含む。ＰＢＳ２２１は、入力光信号を、偏光状態が異なる第１の光信号および第２の光信号に分割することと、第１の光信号をＰＲに出力することと、第２の光信号を第２の入出力セパレータ２４に出力することとを行うように構成されている。ＰＲ２２２は、第１の光信号を、偏光状態が第２の光信号の偏光状態と同じである第３の光信号に変換することと、第３の光信号を第１の入出力セパレータ２３に出力することとを行うように構成されている。
【００４５】
対応して、第１のビーム合成サブモジュールは、偏光ビームコンバイナ（Ｐｏｌａｒｉｚａｔｉｏｎ  Ｂｅａｍ  Ｃｏｍｂｉｎｅｒ、略してＰＢＣ）２５１およびＰＲ２５２を含み、第４の光信号を、偏光状態が第５の光信号の偏光状態とは異なる第６の光信号に変換することと、第５の光信号および第６の光信号に対してビーム合成を実施することと、第１の出力端部を使用することによって、合成された光信号を出力することとを行うように構成されている。
【００４６】
本発明のこの実施形態では、第１の光信号および第２の光信号がそれの中を通過する光学構成要素のタイプおよび量は同じである。すなわち、本発明のこの実施形態において提供される光学構成要素は、２つの完全に対称的な光経路を実装することができる。入力偏光状態が変化するとき、それら２つの光経路の挿入損失は変動せず、それら２つの光経路は同じ遅延を有し、それにより、光学構成要素の偏光無依存性を実装する。さらに、本発明のこの実施形態では、ただ１つの偏光感応性光学構成要素を使用することによって２つの光信号が処理され得る。一方では、ユーザのコストが低減される。他方では、偏光無依存の光学構成要素は常に光の存在下にある。したがって、コントローラは、偏光無依存の光学構成要素のステータスを制御することができる。
【００４７】
任意選択で、上記の偏光感応性光学構成要素は相反光学構成要素であり、たとえば、フィルタ、光スイッチ、デマルチプレクサ、または光アド／ドロップマルチプレクサであってよい。
【００４８】
さらに、偏光感応性光学構成要素はマイクロリングフィルタであってよい。図４Ａは、本発明の一実施形態によるマイクロリングフィルタの概略図である。図４Ａに示されているように、マイクロリングフィルタは、２つの平行な直線導波路４１と、直線導波路４１に結合されている環状導波路４２とを含む。これら２つの直線導波路はブート導波路またはポート導波路とも呼ばれ、（エバネッセント波原理による）方向性カプラまたはマルチモード干渉（Ｍｕｌｔｉｍｏｄｅ  Ｉｎｔｅｒｆｅｒｅｎｃｅ、略してＭＭＩ）カプラを使用することによってマイクロループに結合され得る。波長がそれぞれλ1、λ2、およびλ3である３つの光信号が、入力端部から入力される。波長がλAである光信号が、アド端部から入力される。λ2およびλAはマイクロループの共振条件、すなわち、２＊ｐｉ＊Ｒ＊Ｎｅｆｆ＝ｍλを満たし、ただし、ｍは整数であり、Ｒは環状導波路の半径であり、Ｎｅｆｆは環状導波路の実効屈折率である。共振条件を満たしている光信号は、マイクロループにおいて強め合うように干渉する。導波路のポートから入力されたとき、光は、他方の導波路の対応するポートから出力されることになる。図４Ａに示されているように、入力ポートから入力され波長がλ2である光信号が、他方の導波路のドロップ端部から出力される。アド端部から入力され波長がλAである光信号が、スループットポートから出力される。同様に、共振条件を満たしていない光信号は、環状導波路において弱め合うように干渉し、同じ導波路の他方のポートから出力されることになる。図４Ａに示されているように、λ1およびλ3は、共振条件を満たさず、入力端部から入力され、したがって、同じ導波路のスループット端部から直接出力される。
【００４９】
図４Ｂは、本発明の別の実施形態によるマイクロリングフィルタの概略図である。図４Ｂに示されているように、図４Ａと比較して、図４Ｂでは１つの直線導波路が削除された後に、フィルタは、ただ１つの環状導波路４２および１つの直線導波路４１を含み、その固有の（ｕｎｉｑｕｅ）フィルタリング特徴により、ノッチフィルタ（ｎｏｔｃｈ  ｆｉｌｔｅｒ）とも呼ばれる。図４Ｂに示されているように、共振条件を満たしている光信号の偏光は環状導波路においても強化される。出力端部（たとえば、図中のＥt1に対応するポート）から光信号は出力されない。共振条件を満たしていない光信号が、出力ポート（Ｅt1に対応するポート）から出力されることになる。
【００５０】
任意選択で、上記の第１の入出力セパレータおよび第２の入出力セパレータ、ならびに以下で説明される第３の入出力セパレータおよび第４の入出力セパレータは、サーキュレータまたはカプラであってよく、たとえば、Ｍ×Ｎカプラであってよい。たとえば、３ポートサーキュレータは１×２または２×２カプラと置き換えられてよく、方向性カプラまたはＭＭＩカプラに基づき得る。
【００５１】
サーキュレータは、いくつかのポートを有する非相反構成要素であり、３つまたは４つのポートを通常有する。図５は、本発明の一実施形態によるサーキュレータの概略図である。図５に示されているように、サーキュレータの機能は、方向性シーケンス（時計回りまたは反時計回り）で次のポートから、サーキュレータのいずれかのポートから入力された光信号を出力することである。図５に示されている４ポートサーキュレータの方向は、（円の中の矢印によって示されているように）反時計回りである。すなわち、ポート１から入力された光はポート２から出力されることになる。ポート２から入力された光はポート３から出力されることになる。ポート３から入力された光はポート４から出力されることになる。ポート４から入力された光はポート１から出力されることになる。
【００５２】
偏光感応性光学構成要素がマイクロリングフィルタであるとき、第４の光信号および第５の光信号は、以下の２つの事例における光信号であり得る。
【００５３】
第１の事例では、第４の光信号および第５の光信号は、それぞれ、第２の光信号および第３の光信号中にあり、偏光感応性光学構成要素の共振条件を満たす光信号である。
【００５４】
第２の事例では、第４の光信号および第５の光信号は、それぞれ、第２の光信号および第３の光信号中にあり、偏光感応性光学構成要素の共振条件を満たさない光信号である。
【００５５】
第１の事例では、さらに、光学構成要素は、第２の光経路モジュールをさらに含む。各第２の光経路モジュールは、第２のビームスプリッティングサブモジュール、第３の入出力セパレータ、第４の入出力セパレータ、および第２のビーム合成サブモジュールを含む。第２のビームスプリッティングサブモジュールは第２の入力端部を有し、第２のビーム合成サブモジュールは第２の出力端部を有する。
【００５６】
第１に、第１の光経路モジュール中にあり、偏光感応性光学構成要素の共振条件を満たさない光信号について、光学構成要素は以下の処理を実施する。
【００５７】
偏光感応性光学構成要素は、第２の光信号に基づいて第７の光信号を取得することと、第３の光信号に基づいて第８の光信号を取得することと、第７の光信号および第８の光信号をそれぞれ第３の入出力セパレータおよび第４の入出力セパレータに出力することとを行うようにさらに構成されている。第７の光信号および第８の光信号は、それぞれ、第２の光信号および第３の光信号中にあり、偏光感応性光学構成要素の共振条件を満たさない光信号である。第３の入出力セパレータは、第７の光信号を第２のビーム合成サブモジュールに出力するように構成されている。第４の入出力セパレータは、第８の光信号を第２のビーム合成サブモジュールに出力するように構成されている。第２のビーム合成サブモジュールは、第７の光信号を、偏光状態が第８の光信号の偏光状態とは異なる第９の光信号に変換することと、第８の光信号および第９の光信号に対してビーム合成を実施することと、第２の出力端部を使用することによって、合成された光信号を出力することとを行うように構成されている。
【００５８】
任意選択で、第２のビーム合成サブモジュールは、偏光ビームコンバイナＰＢＣおよびＰＲを含む。ＰＲは、第７の光信号を、偏光状態が第８の光信号の偏光状態とは異なる第９の光信号に変換するように構成されている。ＰＢＣは、第８の光信号および第９の光信号に対してビーム合成を実施することと、第２の出力端部を使用することによって、合成された光信号を出力することとを行うように構成されている。
【００５９】
第２の光信号がＴＭ光信号であり、第３の光信号がＴＥTM光信号であるとき、第７の光信号の偏光状態はさらにＴＭであり、第８の光信号の偏光状態はさらにＴＥTMであり、第９の光信号の偏光状態はＴＭTEである。第２の光信号がＴＥ光信号であり、第３の光信号がＴＭTE光信号であるとき、第７の光信号の偏光状態はさらにＴＥであり、第８の光信号の偏光状態はさらにＴＭTEであり、第９の光信号の偏光状態はＴＥTMである。
【００６０】
偏光感応性光学構成要素はマイクロリングフィルタであり、第１の入出力セパレータ、第２の入出力セパレータ、第３の入出力セパレータ、および第４の入出力セパレータはすべてサーキュレータであり、第１のビームスプリッティングサブモジュールおよび第２のビームスプリッティングサブモジュールはＰＢＳおよびＰＲをそれぞれ含み、第１のビーム合成サブモジュールおよび第２のビーム合成サブモジュールはＰＢＣおよびＰＲをそれぞれ含むと仮定される。上記のプロセスについて、以下で詳細に説明される。図６Ａは、本発明の一実施形態による光学構成要素および光信号の送信の概略図である。図６Ａに示されているように、第１の光経路モジュール中のＰＢＳ２２１は、入力光信号を、偏光状態が異なる第１の光信号（ＴＭ１）および第２の光信号（ＴＭ２）に分割することと、第１の光信号（ＴＭ１）をＰＲ２２２に出力することと、第２の光信号（ＴＥ２）を第２の入出力セパレータ２４に出力することとを行うように構成されている。ＰＲ２２２は、第１の光信号（ＴＭ１）を偏光状態が第２の光信号の偏光状態（ＴＥ２）と同じである第３の光信号（ＴＥTM３）に変換することと、第３の光信号（ＴＥTM３）を第１の入出力セパレータ２３に出力することとを行うように構成されている。第１の入出力セパレータ２３は、マイクロリングフィルタ２６の入力端部を使用することによって第３の光信号（ＴＥTM３）をマイクロリングフィルタ２６に入力する。第２の入出力セパレータ２４は、マイクロリングフィルタ２６のドロップ端部を使用することによって第２の光信号（ＴＥ２）をマイクロリングフィルタ２６に入力する。マイクロリングフィルタ２６は、第２の光信号（ＴＥ２）および第３の光信号（ＴＥTM３）を処理して、それぞれ第７の光信号（ＴＥ７）および第８の光信号（ＴＥTM８）を取得し、それぞれ、ドロップ端部を使用することによって第７の光信号（ＴＥ７）を第３の入出力セパレータ２７に出力し、スループット端部を使用することによって第８の光信号（ＴＥTM８）を第４の入出力セパレータ２８に出力する。第７の光信号（ＴＥ７）および第８の光信号（ＴＥTM８）は、それぞれ、第２の光信号（ＴＥ２）および第３の光信号（ＴＥTM３）中にあり、偏光感応性光学構成要素の共振条件を満たさない光信号である。第３の入出力セパレータ２７は、第７の光信号（ＴＥ７）をＰＲ２９１に出力するように構成されており、第４の入出力セパレータ２８は、第８の光信号（ＴＥTM８）をＰＢＣ２９２に出力するように構成されている。ＰＲ２９１は、第７の光信号（ＴＥ７）を偏光状態が第８の光信号（ＴＥTM８）の偏光状態とは異なる第９の光信号（ＴＭTE９）に変換し、第９の光信号（ＴＭTE９）をＰＢＣ２９２に出力する。最後に、ＰＢＣ２９２は、第８の光信号（ＴＥTM８）および第９の光信号（ＴＭTE９）に対してビーム合成を実施し、第２の出力端部を使用することによって、合成された光信号を出力する。
【００６１】
上記の括弧中のＴＥ、ＴＭ、ＴＭTE、またはＴＥTMは偏光状態を表すものにすぎないことに留意されたい。第１の光信号がＴＥ光信号であり、第２の光信号がＴＭ光信号であるとき、光学構成要素の処理プロセスは、上記の例における処理プロセスと同様である。詳細について本明細書では再び説明されない。
【００６２】
結論として、偏光感応性光学構成要素の共振条件を満たさない第１の光経路モジュールにおける第７の光信号および第８の光信号がそれの中を通過する光学構成要素のタイプおよび量は同じである。すなわち、本発明のこの実施形態において提供される光学構成要素は、２つの完全に対称的な光経路を実装することができる。入力偏光状態が変化するとき、それら２つの光経路の挿入損失は変動せず、それら２つの光経路は同じ遅延を有し、それにより、光学構成要素の偏光無依存性を実装する。さらに、本発明のこの実施形態では、ただ１つの偏光感応性光学構成要素を使用することによって２つの光信号が処理され得る。一方では、ユーザのコストが低減される。他方では、光学構成要素は常に光の存在下にある。したがって、コントローラは、偏光無依存の光学構成要素のステータスを制御することができる。
【００６３】
第２に、第２の光経路モジュール中にあり、偏光感応性光学構成要素の共振条件を満たす光信号について、光学構成要素は以下の処理を実施する。
【００６４】
第２のビームスプリッティングサブモジュールは、第２の入力端部を使用することによって入力光信号を受信し、入力光信号を、偏光状態が異なる第１０の光信号および第１１の光信号に分割することと、第１０の光信号を、偏光状態が第１１の光信号の偏光状態と同じである第１２の光信号に変換することと、第１２の光信号を第３の入出力セパレータに出力することと、第１１の光信号を第４の入出力セパレータに出力することとを行うように構成されている。第３の入出力セパレータは、第１２の光信号を偏光感応性光学構成要素に出力するように構成されている。第４の入出力セパレータは、第１１の光信号を偏光感応性光学構成要素に出力するように構成されている。偏光感応性光学構成要素は、第１１の光信号に基づいて第１３の光信号を取得し、第１２の光信号に基づいて第１４の光信号を取得し、第１３の光信号および第１４の光信号を第３の入出力セパレータおよび第４の入出力セパレータに出力する。第３の入出力セパレータは、第１３の光信号を第２のビーム合成サブモジュールに出力するようにさらに構成されており、第４の入出力セパレータは、第１４の光信号を第２のビーム合成サブモジュールに出力するようにさらに構成されている。第１３の光信号および第１４の光信号は、それぞれ、第１１の光信号および第１２の光信号中にあり、偏光感応性光学構成要素の共振条件を満たす光信号である。第２のビーム合成サブモジュールは、第１３の光信号を、偏光状態が第１４の光信号の偏光状態とは異なる第１５の光信号に変換することと、第１４の光信号および第１５の光信号に対してビーム合成を実施することと、第２の出力端部を使用することによって、合成された光信号を出力することとを行うように構成されている。
【００６５】
任意選択で、第２のビームスプリッティングサブモジュールはＰＢＳおよびＰＲを含む。偏光ビームスプリッタＰＢＳは、第２の入力端部を使用することによって入力された光信号を偏光状態が異なる第１０の光信号および第１１の光信号に分割することと、第１１の光信号を第４の入出力セパレータに出力することと、第１０の光信号をＰＲに出力することとを行うように構成されている。ＰＲは、第１０の光信号を、偏光状態が第１１の光信号の偏光状態と同じである第１２の光信号に変換し、第１２の光信号を第３の入出力セパレータに出力する。ＰＲは、第１３の光信号を、偏光状態が第１４の光信号の偏光状態とは異なる第１５の光信号に変換するようにさらに構成されている。ＰＢＳは、第１４の光信号および第１５の光信号に対してビーム合成を実施することと、第２の出力端部を使用することによって、合成された光信号を出力することとを行うようにさらに構成されている。
【００６６】
第１０の光信号がＴＭ光信号であり、第１１の光信号がＴＥ光信号であるとき、第１２の光信号の偏光状態はさらにＴＥTMであり、第１３の光信号の偏光状態はさらにＴＥであり、第１４の光信号の偏光状態はさらにＴＥTMであり、第１５の光信号の偏光状態はさらにＴＭTEである。第１０の光信号がＴＥ光信号であり、第１１の光信号がＴＭ光信号であるとき、第１２の光信号の偏光状態はさらにＴＭTEであり、第１３の光信号の偏光状態はさらにＴＭであり、第１４の光信号の偏光状態はさらにＴＭTEであり、第１５の光信号の偏光状態はさらにＴＥTMである。
【００６７】
偏光感応性光学構成要素はマイクロリングフィルタであり、第１の入出力セパレータ、第２の入出力セパレータ、第３の入出力セパレータ、および第４の入出力セパレータはすべてサーキュレータであり、第１のビームスプリッティングサブモジュールおよび第２のビームスプリッティングサブモジュールはＰＢＳおよびＰＲをそれぞれ含み、第１のビーム合成サブモジュールおよび第２のビーム合成サブモジュールはＰＢＣおよびＰＲをそれぞれ含むと仮定される。上記のプロセスについて、以下で詳細に説明される。図６Ｂは、本発明の別の実施形態による光学構成要素および光信号の送信の概略図である。図６Ｂに示されているように、第２のビームスプリッティングサブモジュール中のＰＢＳ３０１は、第１０の光信号（ＴＭ１０）をＰＲ３０２に出力し、第１１の光信号（ＴＥ１１）を第４の入出力セパレータ２８に出力する。ＰＲ３０２は、第１０の光信号（ＴＭ１０）を偏光状態が第１１の光信号（ＴＥ１１）の偏光状態と同じである第１２の光信号（ＴＥTM１２）に変換し、第１２の光信号（ＴＥTM１２）を第３の入出力セパレータ２７に出力する。第３の入出力セパレータ２７は、マイクロリングフィルタ２６のアド端部を使用することによって第１２の光信号（ＴＥTM１２）をマイクロリングフィルタ２６に入力する。第４の入出力セパレータ２８は、マイクロリングフィルタ２６のスループット端部を使用することによって第１１の光信号（ＴＥ１１）をマイクロリングフィルタ２６に出力する。マイクロリングフィルタ２６は、第１１の光信号（ＴＥ１１）および第１２の光信号（ＴＥTM１２）に対して共振処理を実施してそれぞれ第１３の光信号（ＴＥ１３）および第１４の光信号（ＴＥTM１４）を取得することと、マイクロリングフィルタ２６のアド端部を使用することによって第１３の光信号（ＴＥ１３）を第３の入出力セパレータ２７に出力することと、マイクロリングフィルタ２６のスループット端部を使用することによって第１４の光信号（ＴＥTM１４）を第４の入出力セパレータ２８に出力することとを行うように構成されている。第３の入出力セパレータ２７は、第１３の光信号（ＴＥ１３）をＰＢＣ２９２に出力するようにさらに構成されている。第４の入出力セパレータは、第１４の光信号（ＴＥTM１４）をＰＲ２９１に出力するようにさらに構成されている。ＰＲ２９１は、第１３の光信号（ＴＥ１３）を偏光状態が第１４の光信号（ＴＥTM１４）の偏光状態とは異なる第１５の光信号（ＴＭTE１５）に変換することと、第１４の光信号（ＴＥTM１４）および第１５の光信号（ＴＭTE１５）に対してビーム合成を実施することと、第２の出力端部を使用することによって、合成された光信号を出力することとを行うように構成されている。
【００６８】
上記の括弧中のＴＥ、ＴＭ、ＴＭTE、またはＴＥTMは偏光状態を表すものにすぎないことに留意されたい。第１０の光信号がＴＥ光信号であり、第１１の光信号がＴＭ光信号であるとき、光学構成要素の処理プロセスは、上記の例における処理プロセスと同様である。詳細について本明細書では再び説明されない。
【００６９】
結論として、偏光感応性光学構成要素の共振条件を満たす第２の光経路モジュールにおける第１４の光信号および第１５の光信号がそれの中を通過する光学構成要素のタイプおよび量は同じである。すなわち、本発明のこの実施形態において提供される光学構成要素は、２つの完全に対称的な光経路を実装することができる。入力偏光状態が変化するとき、それら２つの光経路の挿入損失は変動せず、それら２つの光経路は同じ遅延を有し、それにより、光学構成要素の偏光無依存性を実装する。さらに、本発明のこの実施形態では、ただ１つの偏光感応性光学構成要素を使用することによって２つの光信号が処理され得る。一方では、ユーザのコストが低減される。他方では、光学構成要素は常に光の存在下にある。したがって、コントローラは、偏光無依存の光学構成要素のステータスを制御することができる。
【００７０】
第３に、第２の光経路モジュール中にあり、偏光感応性光学構成要素の共振条件を満たさない光信号について、光学構成要素は以下の処理を実施する。
【００７１】
偏光感応性光学構成要素は、第１１の光信号に基づいて第１６の光信号を取得し、第１２の光信号に基づいて第１７の光信号を取得し、第１６の光信号および第１７の光信号を第１の入出力セパレータおよび第２の入出力セパレータに出力する。第１の入出力セパレータは、第１６の光信号を第１のビーム合成サブモジュールに出力するようにさらに構成されており、第２の入出力セパレータは、第１７の光信号を第１のビーム合成サブモジュールに出力するようにさらに構成されている。第１６の光信号および第１７の光信号は、それぞれ、第１１の光信号および第１２の光信号中にあり、偏光感応性光学構成要素の共振条件を満たさない光信号である。第１のビーム合成サブモジュールは、第１６の光信号を、偏光状態が第１７の光信号の偏光状態とは異なる第１８の光信号に変換することと、第１７の光信号および第１８の光信号に対してビーム合成を実施することと、第１の出力端部を使用することによって、合成された光信号を出力することとを行うように構成されている。
【００７２】
任意選択で、第１のビーム合成サブモジュール中のＰＲは、第１６の光信号を、偏光状態が第１７の光信号の偏光状態とは異なる第１８の光信号に変換するようにさらに構成されている。第１のビーム合成サブモジュール中のＰＢＣは、第１７の光信号および第１８の光信号に対してビーム合成を実施することと、第１の出力端部を使用することによって、合成された光信号を出力することとを行うようにさらに構成されている。
【００７３】
第１１の光信号がＴＥ光信号であり、第１２の光信号の偏光状態がＴＥTMであるとき、第１６の光信号の偏光状態はさらにＴＥであり、第１７の光信号の偏光状態はさらにＴＥTMであり、第１８の光信号の偏光状態はさらにＴＭTEである。代替として、第１１の光信号がＴＭ光信号であり、第１２の光信号の偏光状態がＴＭTEであるとき、第１６の光信号の偏光状態はさらにＴＭであり、第１７の光信号の偏光状態はさらにＴＭTEであり、第１８の光信号の偏光状態はさらにＴＥTMである。
【００７４】
偏光感応性光学構成要素はマイクロリングフィルタであり、第１の入出力セパレータ、第２の入出力セパレータ、第３の入出力セパレータ、および第４の入出力セパレータはすべてサーキュレータであり、第１のビームスプリッティングサブモジュールおよび第２のビームスプリッティングサブモジュールはＰＢＳおよびＰＲをそれぞれ含み、第１のビーム合成サブモジュールおよび第２のビーム合成サブモジュールはＰＢＣおよびＰＲをそれぞれ含むと仮定される。上記のプロセスについて、以下で詳細に説明される。図６Ｃは、本発明のさらに別の実施形態による光学構成要素および光信号の送信の概略図である。図６Ｃに示されているように、第２のビームスプリッティングサブモジュール中のＰＢＳ３０１は、第１０の光信号（ＴＭ１０）をＰＲ３０２に出力し、第１１の光信号（ＴＥ１１）を第４の入出力セパレータ２８に出力する。ＰＲ３０２は、第１０の光信号（ＴＭ１０）を偏光状態が第１１の光信号（ＴＥ１１）の偏光状態と同じである第１２の光信号（ＴＥTM１２）に変換し、第１２の光信号（ＴＥTM１２）を第３の入出力セパレータ２７に出力する。第３の入出力セパレータ２７は、マイクロリングフィルタ２６のアド端部を使用することによって第１２の光信号（ＴＥTM１２）をマイクロリングフィルタ２６に入力する。第４の入出力セパレータ２８は、マイクロリングフィルタ２６のスループット端部を使用することによって第１１の光信号（ＴＥ１１）をマイクロリングフィルタ２６に出力する。マイクロリングフィルタ２６は、第１１の光信号（ＴＥ１１）および第１２の光信号（ＴＥTM１２）に対して共振処理を実施してそれぞれ第１６の光信号（ＴＥ１６）および第１７の光信号（ＴＥTM１７）を取得するように構成されている。第４の入出力セパレータ２８は、マイクロリングフィルタ２６の入力端部を使用することによって第１６の光信号（ＴＥ１６）を第１の入出力セパレータ２３に出力する。第３の入出力セパレータ２７は、マイクロリングフィルタ２６のドロップ端部を使用することによって第１７の光信号（ＴＥTM１７）を第２の入出力セパレータ２４に出力する。第１の入出力セパレータ２３は、第１６の光信号（ＴＥ１６）をＰＲ２５２に出力するようにさらに構成されている。第２の入出力セパレータ２４は、第１７の光信号（ＴＥTM１７）をＰＢＣ２５１に出力するようにさらに構成されている。ＰＲ２５２は、第１６の光信号（ＴＥ１６）を偏光状態が第１７の光信号（ＴＥTM１７）の偏光状態とは異なる第１８の光信号（ＴＭTE１８）に変換するように構成されている。ＰＢＣ２５１は、第１７の光信号（ＴＥTM１７）および第１８の光信号（ＴＭTE１８）に対してビーム合成を実施し、第１の出力端部を使用することによって、合成された光信号を出力する。
【００７５】
上記の括弧中のＴＥ、ＴＭ、ＴＭTE、またはＴＥTMは偏光状態を表すものにすぎないことに留意されたい。第１０の光信号がＴＥ光信号であり、第１１の光信号がＴＭ光信号であるとき、光学構成要素の処理プロセスは、上記の例における処理プロセスと同様である。詳細について本明細書では再び説明されない。
【００７６】
結論として、偏光感応性光学構成要素の共振条件を満たさない第２の光経路モジュールにおける第１６の光信号および第１７の光信号がそれの中を通過する光学構成要素のタイプおよび量は同じである。すなわち、本発明のこの実施形態において提供される光学構成要素は、２つの完全に対称的な光経路を実装することができる。入力偏光状態が変化するとき、それら２つの光経路の挿入損失は変動せず、それら２つの光経路は同じ遅延を有し、それにより、光学構成要素の偏光無依存性を実装する。さらに、本発明のこの実施形態では、ただ１つの偏光感応性光学構成要素を使用することによって２つの光信号が処理され得る。一方では、ユーザのコストが低減される。他方では、光学構成要素は常に光の存在下にある。したがって、コントローラは、偏光無依存の光学構成要素のステータスを制御することができる。
【００７７】
さらに、上記の光学構成要素は、複数の第２の光経路モジュールを含む光学構成要素に拡張されてよい。図７は、本発明のさらに別の実施形態による光学構成要素の概略図である。図７に示されているように、光学構成要素は、１つの第１の光経路モジュール７１および複数の第２の光経路モジュール７２を含む。各第２の光経路モジュール７２は１つのマイクロリングフィルタ２６に対応する。第１の光経路モジュール７１および第２の光経路モジュール７２中の光信号は上記の様式で送信されてよく、詳細について本明細書では再び説明されない。
【００７８】
図７では、第１の光経路モジュール７１の入力端部は上記の第１の入力端部であり、ドロップ端部１は上記の第１の出力端部であることに留意されたい。第２の光経路モジュール７２のアド端部１、アド端部２、アド端部３、およびアド端部４は上記の第２の入力端部であり、ドロップ端部２、ドロップ端部３、ドロップ端部４、およびスループット端部は上記の第２の出力端部である。図７に示されている番号１から８は、異なる波長を有する光信号をそれぞれ表す。たとえば、光信号１から４は上記の入力端部の入力信号として使用され得る。明らかに、入力信号は、異なる波長を有する複数の光信号を含む。左から右へのシーケンスで１番目のマイクロリングフィルタ２６について、光信号１は、マイクロリングフィルタ２６の共振条件を満たし、したがって、ドロップ端部１から出力される。光信号２から４は、マイクロリングフィルタ２６の共振条件を満たさず、したがって、１番目の第２の光経路モジュール７２に入力される。類推によって、２番目のマイクロリングフィルタ２６の共振条件を満たしているとき、光信号２はドロップ端部２から出力される。対応して、一例として２番目の第２の光経路モジュール７２を使用すると、光信号６はアド端部２から入力される。図７からわかるように、光信号６は、３番目のマイクロリングフィルタ２６の共振条件を満たさず、したがって、３番目の第２の光経路モジュール７２に出力される。同様に、光信号６は、４番目のマイクロリングフィルタ２６の共振条件を満たさず、したがって、４番目の第２の光経路モジュール７２に出力され、最後に、光信号６はスループット端部から出力される。
【００７９】
第２の事例では、さらに、光学構成要素は、第２の光経路モジュールをさらに含む。各第２の光経路モジュールは、第２のビームスプリッティングサブモジュール、第３の入出力セパレータ、第４の入出力セパレータ、および第２のビーム合成サブモジュールを含む。第２のビームスプリッティングサブモジュールは第２の入力端部を有し、第２のビーム合成サブモジュールは第２の出力端部を有する。
【００８０】
第１に、第１の光経路モジュール中にあり、偏光感応性光学構成要素の共振条件を満たす光信号について、光学構成要素は以下の処理を実施する。
【００８１】
偏光感応性光学構成要素は、第２の光信号に基づいて第７の光信号を取得することと、第３の光信号に基づいて第８の光信号を取得することと、第７の光信号および第８の光信号をそれぞれ第３の入出力セパレータおよび第４の入出力セパレータに出力することとを行うようにさらに構成されている。第７の光信号および第８の光信号は、それぞれ、第２の光信号および第３の光信号中にあり、偏光感応性光学構成要素の共振条件を満たす光信号である。第３の入出力セパレータは、第７の光信号を第２のビーム合成サブモジュールに出力するように構成されている。第４の入出力セパレータは、第８の光信号を第２のビーム合成サブモジュールに出力するように構成されている。第２のビーム合成サブモジュールは、第７の光信号を、偏光状態が第８の光信号の偏光状態とは異なる第９の光信号に変換することと、第８の光信号および第９の光信号に対してビーム合成を実施することと、第２の出力端部を使用することによって、合成された光信号を出力することとを行うように構成されている。
【００８２】
任意選択で、第２のビーム合成サブモジュールは、偏光ビームコンバイナＰＢＣおよびＰＲを含む。ＰＲは、第７の光信号を、偏光状態が第８の光信号の偏光状態とは異なる第９の光信号に変換するように構成されている。ＰＢＣは、第８の光信号および第９の光信号に対してビーム合成を実施することと、第２の出力端部を使用することによって、合成された光信号を出力することとを行うように構成されている。
【００８３】
第２の光信号がＴＭ光信号であり、第３の光信号がＴＥTM光信号であるとき、第７の光信号の偏光状態はさらにＴＭであり、第８の光信号の偏光状態はさらにＴＥTMであり、第９の光信号の偏光状態はＴＭTEである。第２の光信号がＴＥ光信号であり、第３の光信号がＴＭTE光信号であるとき、第７の光信号の偏光状態はさらにＴＥであり、第８の光信号の偏光状態はさらにＴＭTEであり、第９の光信号の偏光状態はＴＥTMである。
【００８４】
偏光感応性光学構成要素はマイクロリングフィルタであり、第１の入出力セパレータ、第２の入出力セパレータ、第３の入出力セパレータ、および第４の入出力セパレータはすべてサーキュレータであり、第１のビームスプリッティングサブモジュールおよび第２のビームスプリッティングサブモジュールはＰＢＳおよびＰＲをそれぞれ含み、第１のビーム合成サブモジュールおよび第２のビーム合成サブモジュールはＰＢＣおよびＰＲをそれぞれ含むと仮定される。上記のプロセスについて、以下で詳細に説明される。図８Ａは、本発明の一実施形態による光学構成要素および光信号の送信の概略図である。図８Ａに示されているように、第１の光経路モジュール中のＰＢＳ２２１は、入力光信号を、偏光状態が異なる第１の光信号（ＴＭ１）および第２の光信号（ＴＭ２）に分割することと、第１の光信号（ＴＭ１）をＰＲ２２２に出力することと、第２の光信号（ＴＥ２）を第２の入出力セパレータ２４に出力することとを行うように構成されている。ＰＲ２２２は、第１の光信号（ＴＭ１）を偏光状態が第２の光信号の偏光状態（ＴＥ２）と同じである第３の光信号（ＴＥTM３）に変換することと、第３の光信号（ＴＥTM３）を第１の入出力セパレータ２３に出力することとを行うように構成されている。第１の入出力セパレータ２３は、マイクロリングフィルタ２６の入力端部を使用することによって第３の光信号（ＴＥTM３）をマイクロリングフィルタ２６に入力する。第２の入出力セパレータ２４は、マイクロリングフィルタ２６のスループット端部を使用することによって第２の光信号（ＴＥ２）をマイクロリングフィルタ２６に入力する。マイクロリングフィルタ２６は、第２の光信号（ＴＥ２）および第３の光信号（ＴＥTM３）に対して共振処理を実施して、それぞれ第７の光信号（ＴＥ７）および第８の光信号（ＴＥTM８）を取得し、マイクロリングフィルタ２６のアド端部を使用することによって第７の光信号（ＴＥ７）を第３の入出力セパレータ２７に出力し、マイクロリングフィルタ２６のドロップ端部を使用することによって第８の光信号（ＴＥTM８）を第４の入出力セパレータ２８に出力する。第７の光信号（ＴＥ７）および第８の光信号（ＴＥTM８）は、それぞれ、第２の光信号（ＴＥ２）および第３の光信号（ＴＥTM３）中にあり、偏光感応性光学構成要素の共振条件を満たす光信号である。第３の入出力セパレータ２７は、第７の光信号（ＴＥ７）をＰＲ２９１に出力するように構成されており、第４の入出力セパレータ２８は、第８の光信号（ＴＥTM８）をＰＢＣ２９２に出力するように構成されている。ＰＲ２９１は、第７の光信号（ＴＥ７）を偏光状態が第８の光信号（ＴＥTM８）の偏光状態とは異なる第９の光信号（ＴＭTE９）に変換し、第９の光信号（ＴＭTE９）をＰＢＣ２９２に出力する。最後に、ＰＢＣ２９２は、第８の光信号（ＴＥTM８）および第９の光信号（ＴＭTE９）に対してビーム合成を実施し、第２の出力端部を使用することによって、合成された光信号を出力する。
【００８５】
上記の括弧中のＴＥ、ＴＭ、ＴＭTE、またはＴＥTMは偏光状態を表すものにすぎないことに留意されたい。第１の光信号がＴＥ光信号であり、第２の光信号がＴＭ光信号であるとき、光学構成要素の処理プロセスは、上記の例における処理プロセスと同様である。詳細について本明細書では再び説明されない。
【００８６】
結論として、偏光感応性光学構成要素の共振条件を満たす第１の光経路モジュールにおける第７の光信号および第８の光信号がそれの中を通過する光学構成要素のタイプおよび量は同じである。すなわち、本発明のこの実施形態において提供される光学構成要素は、２つの完全に対称的な光経路を実装することができる。入力偏光状態が変化するとき、それら２つの光経路の挿入損失は変動せず、それら２つの光経路は同じ遅延を有し、それにより、光学構成要素の偏光無依存性を実装する。さらに、本発明のこの実施形態では、ただ１つの偏光感応性光学構成要素を使用することによって２つの光信号が処理され得る。一方では、ユーザのコストが低減される。他方では、光学構成要素は常に光の存在下にある。したがって、コントローラは、偏光無依存の光学構成要素のステータスを制御することができる。
【００８７】
第２に、第２の光経路モジュール中にあり、偏光感応性光学構成要素の共振条件を満たさない光信号について、光学構成要素は以下の処理を実施する。
【００８８】
第２のビームスプリッティングサブモジュールは、第２の入力端部を使用することによって入力光信号を受信し、入力光信号を、偏光状態が異なる第１０の光信号および第１１の光信号に分割することと、第１０の光信号を、偏光状態が第１１の光信号の偏光状態と同じである第１２の光信号に変換することと、第１２の光信号を第３の入出力セパレータに出力することと、第１１の光信号を第４の入出力セパレータに出力することとを行うように構成されている。第３の入出力セパレータは、第１２の光信号を偏光感応性光学構成要素に出力するように構成されている。第４の入出力セパレータは、第１１の光信号を偏光感応性光学構成要素に出力するように構成されている。偏光感応性光学構成要素は、第１１の光信号に基づいて第１３の光信号を取得することと、第１２の光信号に基づいて第１４の光信号を取得することと、第１３の光信号および第１４の光信号を第３の入出力セパレータおよび第４の入出力セパレータに出力することとを行うように構成されている。第３の入出力セパレータは、第１３の光信号を第４の入出力セパレータに出力するようにさらに構成されており、第４の入出力セパレータは、第１４の光信号を第３の入出力セパレータに出力するようにさらに構成されている。第１３の光信号および第１４の光信号は、それぞれ、第１１の光信号および第１２の光信号中にあり、偏光感応性光学構成要素の共振条件を満たさない光信号である。第２のビーム合成サブモジュールは、第１３の光信号を、偏光状態が第１４の光信号の偏光状態とは異なる第１５の光信号に変換することと、第１４の光信号および第１５の光信号に対してビーム合成を実施することと、第２の出力端部を使用することによって、合成された光信号を出力することとを行うように構成されている。
【００８９】
任意選択で、第２のビームスプリッティングサブモジュールはＰＢＳおよびＰＲを含む。偏光ビームスプリッタＰＢＳは、第２の入力端部を使用することによって入力された光信号を偏光状態が異なる第１０の光信号および第１１の光信号に分割することと、第１１の光信号を第４の入出力セパレータに出力することと、第１０の光信号をＰＲに出力することとを行うように構成されている。ＰＲは、第１０の光信号を、偏光状態が第１１の光信号の偏光状態と同じである第１２の光信号に変換し、第１２の光信号を第３の入出力セパレータに出力する。ＰＲは、第１３の光信号を、偏光状態が第１４の光信号の偏光状態とは異なる第１５の光信号に変換するようにさらに構成されている。ＰＢＳは、第１４の光信号および第１５の光信号に対してビーム合成を実施することと、第２の出力端部を使用することによって、合成された光信号を出力することとを行うようにさらに構成されている。
【００９０】
第１０の光信号がＴＭ光信号であり、第１１の光信号がＴＥ光信号であるとき、第１２の光信号の偏光状態はさらにＴＥTMであり、第１３の光信号の偏光状態はさらにＴＥであり、第１４の光信号の偏光状態はさらにＴＥTMであり、第１５の光信号の偏光状態はさらにＴＭTEである。第１０の光信号がＴＥ光信号であり、第１１の光信号がＴＭ光信号であるとき、第１２の光信号の偏光状態はさらにＴＭTEであり、第１３の光信号の偏光状態はさらにＴＭであり、第１４の光信号の偏光状態はさらにＴＭTEであり、第１５の光信号の偏光状態はさらにＴＥTMである。
【００９１】
偏光感応性光学構成要素はマイクロリングフィルタであり、第１の入出力セパレータ、第２の入出力セパレータ、第３の入出力セパレータ、および第４の入出力セパレータはすべてサーキュレータであり、第１のビームスプリッティングサブモジュールおよび第２のビームスプリッティングサブモジュールはＰＢＳおよびＰＲをそれぞれ含み、第１のビーム合成サブモジュールおよび第２のビーム合成サブモジュールはＰＢＣおよびＰＲをそれぞれ含むと仮定される。上記のプロセスについて、以下で詳細に説明される。図８Ｂは、本発明の別の実施形態による光学構成要素および光信号の送信の概略図である。図８Ｂに示されているように、第２のビームスプリッティングサブモジュール中のＰＢＳ３０１は、第１０の光信号（ＴＭ１０）をＰＲ３０２に出力し、第１１の光信号（ＴＥ１１）を第４の入出力セパレータ２８に出力する。ＰＲ３０２は、第１０の光信号（ＴＭ１０）を偏光状態が第１１の光信号（ＴＥ１１）の偏光状態と同じである第１２の光信号（ＴＥTM１２）に変換し、第１２の光信号（ＴＥTM１２）を第３の入出力セパレータ２７に出力する。第３の入出力セパレータ２７は、マイクロリングフィルタ２６のアド端部を使用することによって第１２の光信号（ＴＥTM１２）をマイクロリングフィルタ２６に出力するように構成されている。第４の入出力セパレータ２８は、マイクロリングフィルタ２６のドロップ端部を使用することによって第１１の光信号（ＴＥ１１）をマイクロリングフィルタ２６に出力するように構成されている。マイクロリングフィルタ２６は、第１１の光信号（ＴＥ１１）および第１２の光信号（ＴＥTM１２）を処理してそれぞれ第１３の光信号（ＴＥ１３）および第１４の光信号（ＴＥTM１４）を取得することと、マイクロリングフィルタ２６のアド端部を使用することによって第１３の光信号（ＴＥ１３）を第３の入出力セパレータ２７に出力することと、マイクロリングフィルタ２６のドロップ端部を使用することによって第１４の光信号（ＴＥTM１４）を第４の入出力セパレータ２８に出力することとを行うように構成されている。第３の入出力セパレータ２７は、第１３の光信号（ＴＥ１３）をＰＢＣ２９２に出力するようにさらに構成されている。第４の入出力セパレータは、第１４の光信号をＰＲ２９１に出力するようにさらに構成されている。ＰＲ２９１は、第１３の光信号（ＴＥ１３）を偏光状態が第１４の光信号（ＴＥTM１４）の偏光状態とは異なる第１５の光信号（ＴＭTE１５）に変換することと、第１４の光信号（ＴＥTM１４）および第１５の光信号（ＴＭTE１５）に対してビーム合成を実施することと、第２の出力端部を使用することによって、合成された光信号を出力することとを行うように構成されている。
【００９２】
上記の括弧中のＴＥ、ＴＭ、ＴＭTE、またはＴＥTMは偏光状態を表すものにすぎないことに留意されたい。第１０の光信号がＴＥ光信号であり、第１１の光信号がＴＭ光信号であるとき、光学構成要素の処理プロセスは、上記の例における処理プロセスと同様である。詳細について本明細書では再び説明されない。
【００９３】
結論として、偏光感応性光学構成要素の共振条件を満たさない第２の光経路モジュールにおける第１４の光信号および第１５の光信号がそれの中を通過する光学構成要素のタイプおよび量は同じである。すなわち、本発明のこの実施形態において提供される光学構成要素は、２つの完全に対称的な光経路を実装することができる。入力偏光状態が変化するとき、それら２つの光経路の挿入損失は変動せず、それら２つの光経路は同じ遅延を有し、それにより、光学構成要素の偏光無依存性を実装する。さらに、本発明のこの実施形態では、ただ１つの偏光感応性光学構成要素を使用することによって２つの光信号が処理され得る。一方では、ユーザのコストが低減される。他方では、光学構成要素は常に光の存在下にある。したがって、コントローラは、偏光無依存の光学構成要素のステータスを制御することができる。
【００９４】
第３に、第２の光経路モジュール中にあり、偏光感応性光学構成要素の共振条件を満たす光信号について、光学構成要素は以下の処理を実施する。
【００９５】
偏光感応性光学構成要素は、第１１の光信号に基づいて第１６の光信号を取得することと、第１２の光信号に基づいて第１７の光信号を取得することと、第１６の光信号および第１７の光信号を第１の入出力セパレータおよび第２の入出力セパレータに出力することとを行うように構成されている。第１の入出力セパレータは、第１６の光信号を第１のビーム合成サブモジュールに出力するようにさらに構成されており、第２の入出力セパレータは、第１７の光信号を第１のビーム合成サブモジュールに出力するようにさらに構成されている。第１６の光信号および第１７の光信号は、第１１の光信号および第１２の光信号中にあり、偏光感応性光学構成要素の共振条件を満たす光信号である。第１のビームスプリッティングサブモジュールは、第１６の光信号を、偏光状態が第１７の光信号の偏光状態とは異なる第１８の光信号に変換することと、第１７の光信号および第１８の光信号に対してビーム合成を実施することと、第１の出力端部を使用することによって、合成された光信号を出力することとを行うように構成されている。
【００９６】
任意選択で、第１のビーム合成サブモジュール中のＰＲは、第１６の光信号を、偏光状態が第１７の光信号の偏光状態とは異なる第１８の光信号に変換するようにさらに構成されている。第１のビーム合成サブモジュール中のＰＢＣは、第１７の光信号および第１８の光信号に対してビーム合成を実施することと、第１の出力端部を使用することによって、合成された光信号を出力することとを行うようにさらに構成されている。
【００９７】
第１１の光信号がＴＥ光信号であり、第１２の光信号の偏光状態がＴＥTMであるとき、第１６の光信号の偏光状態はさらにＴＥであり、第１７の光信号の偏光状態はさらにＴＥTMであり、第１８の光信号の偏光状態はさらにＴＭTEである。代替として、第１１の光信号がＴＭ光信号であり、第１２の光信号の偏光状態がＴＭTEであるとき、第１６の光信号の偏光状態はさらにＴＭであり、第１７の光信号の偏光状態はＴＭTEであり、第１８の光信号の偏光状態はさらにＴＥTMである。
【００９８】
偏光感応性光学構成要素はマイクロリングフィルタであり、第１の入出力セパレータ、第２の入出力セパレータ、第３の入出力セパレータ、および第４の入出力セパレータはすべてサーキュレータであり、第１のビームスプリッティングサブモジュールおよび第２のビームスプリッティングサブモジュールはＰＢＳおよびＰＲをそれぞれ含み、第１のビーム合成サブモジュールおよび第２のビーム合成サブモジュールはＰＢＣおよびＰＲをそれぞれ含むと仮定される。上記のプロセスについて、以下で詳細に説明される。図８Ｃは、本発明のさらに別の実施形態による光学構成要素および光信号の送信の概略図である。図８Ｃに示されているように、第３の入出力セパレータ２７は、マイクロリングフィルタ２６のアド端部を使用することによって第１１の光信号（ＴＥ１１）をマイクロリングフィルタ２６に入力する。第４の入出力セパレータ２８は、マイクロリングフィルタ２６のドロップ端部を使用することによって第１２の光信号（ＴＥTM１２）をマイクロリングフィルタ２６に入力する。マイクロリングフィルタ２６は、第１１の光信号（ＴＥ１１）および第１２の光信号（ＴＥTM１２）に対して共振処理を実施してそれぞれ第１６の光信号（ＴＥ１６）および第１７の光信号（ＴＥTM１７）を取得し、マイクロリングフィルタ２６の入力端部を使用することによって第１６の光信号（ＴＥ１６）を第１の入出力セパレータ２３に出力し、マイクロリングフィルタ２６のスループット端部を使用することによって第１７の光信号（ＴＥTM１７）を第２の入出力セパレータ２４に出力する。第１の入出力セパレータ２３は、第１６の光信号（ＴＥ１６）をＰＲ２５２に出力するようにさらに構成されている。第２の入出力セパレータ２４は、第１７の光信号（ＴＥTM１７）をＰＢＣ２５１に出力するようにさらに構成されている。ＰＲ２５２は、第１６の光信号（ＴＥ１６）を偏光状態が第１７の光信号（ＴＥTM１７）の偏光状態とは異なる第１８の光信号（ＴＭTE１８）に変換するように構成されている。ＰＢＣ２５１は、第１７の光信号（ＴＥTM１７）および第１８の光信号（ＴＭTE１８）に対してビーム合成を実施し、第１の出力端部を使用することによって、合成された光信号を出力する。
【００９９】
上記の括弧中のＴＥ、ＴＭ、ＴＭTE、またはＴＥTMは偏光状態を表すものにすぎないことに留意されたい。第１０の光信号がＴＥ光信号であり、第１１の光信号がＴＭ光信号であるとき、光学構成要素の処理プロセスは、上記の例における処理プロセスと同様である。詳細について本明細書では再び説明されない。
【０１００】
結論として、偏光感応性光学構成要素の共振条件を満たす第２の光経路モジュールにおける第１６の光信号および第１７の光信号がそれの中を通過する光学構成要素のタイプおよび量は同じである。すなわち、本発明のこの実施形態において提供される光学構成要素は、２つの完全に対称的な光経路を実装することができる。入力偏光状態が変化するとき、それら２つの光経路の挿入損失は変動せず、それら２つの光経路は同じ遅延を有し、それにより、光学構成要素の偏光無依存性を実装する。さらに、本発明のこの実施形態では、ただ１つの偏光感応性光学構成要素を使用することによって２つの光信号が処理され得る。一方では、ユーザのコストが低減される。他方では、光学構成要素は常に光の存在下にある。したがって、コントローラは、偏光無依存の光学構成要素のステータスを制御することができる。
【０１０１】
さらに、上記の光学構成要素は、複数の第２の光経路モジュールを含む光学構成要素に拡張されてよく、第２の光経路モジュールは、第１の光経路モジュールに並列に接続されている。図９は、本発明のまた別の実施形態による光学構成要素の概略図である。図９に示されているように、光学構成要素は、１つの第１の光経路モジュール７１および複数の第２の光経路モジュール７２を含む。各第２の光経路モジュール７２は１つのマイクロリングフィルタ２６に対応する。第１の光経路モジュール７１および第２の光経路モジュール７２中の光信号は上記の様式で送信されてよく、詳細について本明細書では再び説明されない。
【０１０２】
図９では、第１の光経路モジュール７１の入力端部は上記の第１の入力端部であり、スループット端部は上記の第１の出力端部であることに留意されたい。第２の光経路モジュール７２のアド端部は上記の第２の入力端部であり、ドロップ端部は上記の第２の出力端部である。図７に示されている番号１から８は、異なる波長を有する光信号をそれぞれ表す。たとえば、光信号１から４は上記の入力端部の入力信号として使用され得る。明らかに、入力信号は、異なる波長を有する複数の光信号を含む。左から右へのシーケンスで１番目のマイクロリングフィルタ２６について、光信号１は、マイクロリングフィルタ２６の共振条件を満たさず、したがって、１番目の第２の光経路モジュールのドロップ端部から出力される。対応して、一例として２番目の第２の光経路モジュール７２を使用すると、光信号６はアド端部から入力される。図７からわかるように、光信号６は、３番目のマイクロリングフィルタ２６の共振条件を満たさず、したがって、第１の光経路モジュール７１に出力され、最終的にスループット端部から出力される。
【０１０３】
さらに、上記の光学構成要素はモノリシックに組み込まれ得る。
【０１０４】
図１０は、本発明の一実施形態による光信号処理方法のフローチャートである。図１０に示されているように、本方法は以下のステップを含む。
【０１０５】
ステップＳ１００１：光学構成要素は、光学構成要素の第１の入力端部を使用することによって入力光信号を受信し、入力光信号を、偏光状態が異なる第１の光信号および第２の光信号に分割し、第１の光信号を、偏光状態が第２の光信号の偏光状態と同じである第３の光信号に変換する。
【０１０６】
ステップＳ１００２：光学構成要素が、第２の光信号に基づいて第４の光信号を取得し、第３の光信号に基づいて第５の光信号を取得する。
【０１０７】
ステップＳ１００３：光学構成要素が、第４の光信号を、偏光状態が第５の光信号の偏光状態とは異なる第６の光信号に変換し、第５の光信号および第６の光信号に対してビーム合成を実施し、光学構成要素の第１の出力端部を使用することによって、合成された光信号を出力する。
【０１０８】
本発明は光信号処理方法を提供する。図２に示されている光学構成要素は本方法のステップを実施することができる。それらの実装原理および技術的効果は同様であり、詳細について本明細書では再び説明されない。
【０１０９】
任意選択で、光学構成要素は偏光感応性光学構成要素を含む。第４の光信号および第５の光信号は、それぞれ、第２の光信号および第３の光信号中にあり、偏光感応性光学構成要素の共振条件を満たす光信号である。
【０１１０】
図１１は、本発明の別の実施形態による光信号処理方法のフローチャートである。図１１に示されているように、本方法は以下のステップを含む。
【０１１１】
ステップＳ１１０１：光学構成要素が、第２の光信号に基づいて第７の光信号を取得し、第３の光信号に基づいて第８の光信号を取得し、第７の光信号および第８の光信号が、それぞれ、第２の光信号および第３の光信号中にあり、偏光感応性光学構成要素の共振条件を満たさない光信号である。
【０１１２】
ステップＳ１１０２：光学構成要素が、第７の光信号を、偏光状態が第８の光信号の偏光状態とは異なる第９の光信号に変換し、第８の光信号および第９の光信号に対してビーム合成を実施し、光学構成要素の第２の出力端部を使用することによって、合成された光信号を出力する。
【０１１３】
本発明は光信号処理方法を提供する。図６Ａに示されている光学構成要素は本方法のステップを実施することができる。それらの実装原理および技術的効果は同様であり、詳細について本明細書では再び説明されない。
【０１１４】
図１２は、本発明のさらに別の実施形態による光信号処理方法のフローチャートである。図１２に示されているように、本方法は以下のステップを含む。
【０１１５】
ステップＳ１２０１：光学構成要素が、光学構成要素の第２の入力端部を使用することによって入力光信号を受信し、入力光信号を、偏光状態が異なる第１０の光信号および第１１の光信号に分割し、第１０の光信号を、偏光状態が第１１の光信号の偏光状態と同じである第１２の光信号に変換する。
【０１１６】
ステップＳ１２０２：光学構成要素が、第１１の光信号に基づいて第１３の光信号を取得し、第１２の光信号に基づいて第１４の光信号を取得し、第１３の光信号および第１４の光信号が、それぞれ、第１１の光信号および第１２の光信号中にあり、偏光感応性光学構成要素の共振条件を満たす光信号である。
【０１１７】
ステップＳ１２０３：光学構成要素が、第１３の光信号を、偏光状態が第１４の光信号の偏光状態とは異なる第１５の光信号に変換し、第１４の光信号および第１５の光信号に対してビーム合成を実施し、第２の出力端部を使用することによって、合成された光信号を出力する。
【０１１８】
本発明は光信号処理方法を提供する。図６Ｂに示されている光学構成要素は本方法のステップを実施することができる。それらの実装原理および技術的効果は同様であり、詳細について本明細書では再び説明されない。
【０１１９】
図１３は、本発明のまた別の実施形態による光信号処理方法のフローチャートである。図１３に示されているように、本方法は以下のステップを含む。
【０１２０】
ステップＳ１３０１：光学構成要素が、第１１の光信号に基づいて第１６の光信号を取得し、第１２の光信号に基づいて第１７の光信号を取得し、第１６の光信号および第１７の光信号が、それぞれ、第１１の光信号および第１２の光信号中にあり、偏光感応性光学構成要素の共振条件を満たさない光信号である。
【０１２１】
ステップＳ１３０２：光学構成要素が、第１６の光信号を、偏光状態が第１７の光信号の偏光状態とは異なる第１８の光信号に変換し、第１７の光信号および第１８の光信号に対してビーム合成を実施し、第１の出力端部を使用することによって、合成された光信号を出力する。
【０１２２】
本発明は光信号処理方法を提供する。図６Ｃに示されている光学構成要素は本方法のステップを実施することができる。それらの実装原理および技術的効果は同様であり、詳細について本明細書では再び説明されない。
【０１２３】
任意選択で、光学構成要素は偏光感応性光学構成要素を含む。第４の光信号および第５の光信号は、それぞれ、第２の光信号および第３の光信号中にあり、偏光感応性光学構成要素の共振条件を満たさない光信号である。
【０１２４】
図１４は、本発明のさらにまた別の実施形態による光信号処理方法のフローチャートである。図１４に示されているように、本方法は以下のステップを含む。
【０１２５】
ステップＳ１４０１：光学構成要素が、第２の光信号に基づいて第７の光信号を取得し、第３の光信号に基づいて第８の光信号を取得し、第７の光信号および第８の光信号が、それぞれ、第２の光信号および第３の光信号中にあり、偏光感応性光学構成要素の共振条件を満たす光信号である。
【０１２６】
ステップＳ１４０２：光学構成要素が、第７の光信号を、偏光状態が第８の光信号の偏光状態とは異なる第９の光信号に変換し、第８の光信号および第９の光信号に対してビーム合成を実施し、光学構成要素の第２の出力端部を使用することによって、合成された光信号を出力する。
【０１２７】
本発明は光信号処理方法を提供する。図８Ａに示されている光学構成要素は本方法のステップを実施することができる。それらの実装原理および技術的効果は同様であり、詳細について本明細書では再び説明されない。
【０１２８】
図１５は、本発明のさらなる実施形態による光信号処理方法のフローチャートである。図１５に示されているように、本方法は以下のステップを含む。
【０１２９】
ステップＳ１５０１：光学構成要素が、第２の入力端部を使用することによって入力光信号を受信し、入力光信号を、偏光状態が異なる第１０の光信号および第１１の光信号に分割し、第１０の光信号を、偏光状態が第１１の光信号の偏光状態と同じである第１２の光信号に変換する。
【０１３０】
ステップＳ１５０２：光学構成要素が、第１１の光信号に基づいて第１３の光信号を取得し、第１２の光信号に基づいて第１４の光信号を取得し、第１３の光信号および第１４の光信号が、それぞれ、第１１の光信号および第１２の光信号中にあり、偏光感応性光学構成要素の共振条件を満たさない光信号である。
【０１３１】
ステップＳ１５０３：光学構成要素が、第１３の光信号を、偏光状態が第１４の光信号の偏光状態とは異なる第１５の光信号に変換し、第１４の光信号および第１５の光信号に対してビーム合成を実施し、第２の出力端部を使用することによって、合成された光信号を出力する。
【０１３２】
本発明は光信号処理方法を提供する。図８Ｂに示されている光学構成要素は本方法のステップを実施することができる。それらの実装原理および技術的効果は同様であり、詳細について本明細書では再び説明されない。
【０１３３】
図１６は、本発明のまたさらなる実施形態による光信号処理方法のフローチャートである。図１６に示されているように、本方法は以下のステップを含む。
【０１３４】
ステップＳ１６０１：光学構成要素が、第１１の光信号に基づいて第１６の光信号を取得し、第１２の光信号に基づいて第１７の光信号を取得し、第１６の光信号および第１７の光信号が、それぞれ、第１１の光信号および第１２の光信号中にあり、偏光感応性光学構成要素の共振条件を満たす光信号である。
【０１３５】
ステップＳ１６０２：光学構成要素が、第１６の光信号を、偏光状態が第１７の光信号の偏光状態とは異なる第１８の光信号に変換し、第１７の光信号および第１８の光信号に対してビーム合成を実施し、第１の出力端部を使用することによって、合成された光信号を出力する。
【０１３６】
本発明は光信号処理方法を提供する。図８Ｃに示されている光学構成要素は本方法のステップを実施することができる。それらの実装原理および技術的効果は同様であり、詳細について本明細書では再び説明されない。
【０１３７】
当業者は、本方法実施形態のステップの全部または一部が、関係するハードウェアに命令するプログラムによって実装され得ることを理解されよう。プログラムはコンピュータ可読記憶媒体に記憶されてよい。プログラムがランするとき、本方法実施形態のステップが実施される。上記の記憶媒体は、ＲＯＭ、ＲＡＭ、磁気ディスク、またはコンパクトディスクなど、プログラムコードを記憶することができる任意の媒体を含む。
【０１３８】
最後に、上記の実施形態は、本発明を限定するためのものではなく、本発明の技術的解決策について説明するためのものにすぎないことに留意されたい。本発明について上記の実施形態に関して詳細に説明されたが、当業者は、彼らが本発明の実施形態の技術的解決策の範囲から逸脱することなく、上記の実施形態において説明された技術的解決策に対して変更をさらに行うか、またはそれらの一部もしくは全部の技術的特徴に等価的置換を行い得ることを理解されたい。
【図１】
2019531503.tif 000003
【図２】
2019531503.tif 000004
【図２Ａ】
2019531503.tif 000005
【図２Ｂ】
2019531503.tif 000006
【図３】
2019531503.tif 000007
【図４Ａ】
2019531503.tif 000008
【図４Ｂ】
2019531503.tif 000009
【図５】
2019531503.tif 000010
【図６Ａ】
2019531503.tif 000011
【図６Ｂ】
2019531503.tif 000012
【図６Ｃ】
2019531503.tif 000013
【図７】
2019531503.tif 000014
【図８Ａ】
2019531503.tif 000015
【図８Ｂ】
2019531503.tif 000016
【図８Ｃ】
2019531503.tif 000017
【図９】
2019531503.tif 000018
【図１０】
2019531503.tif 000019
【図１１】
2019531503.tif 000020
【図１２】
2019531503.tif 000021
【図１３】
2019531503.tif 000022
【図１４】
2019531503.tif 000023
【図１５】
2019531503.tif 000024
【図１６】
2019531503.tif 000025
【手続補正書】
【提出日】平成31年3月4日(2019.3.4)
【手続補正１】
【補正対象書類名】特許請求の範囲
【補正対象項目名】全文
【補正方法】変更
【補正の内容】
【特許請求の範囲】
【請求項１】
第１の光経路モジュールおよび偏光感応性光学構成要素を備える、光学構成要素であって、前記第１の光経路モジュールは、第１のビームスプリッティングサブモジュール、第１の入出力セパレータ、第１のビーム合成サブモジュール、および第２の入出力セパレータを備え、
前記第１のビームスプリッティングサブモジュールは、第１の入力端部を使用することによって入力光信号を受信し、前記入力光信号を、偏光状態が異なる第１の光信号および第２の光信号に分割することと、前記第１の光信号を、偏光状態が前記第２の光信号の偏光状態と同じである第３の光信号に変換することと、前記第３の光信号を前記第１の入出力セパレータに出力することと、前記第２の光信号を前記第２の入出力セパレータに出力することとを行うように構成されており、
前記第１の入出力セパレータは、前記第３の光信号を前記偏光感応性光学構成要素に出力するように構成されており、
前記第２の入出力セパレータは、前記第２の光信号を前記偏光感応性光学構成要素に出力するように構成されており、
前記偏光感応性光学構成要素は、前記第２の光信号に基づいて第４の光信号を取得することと、前記第３の光信号に基づいて第５の光信号を取得することと、前記第４の光信号および前記第５の光信号を前記第１の入出力セパレータおよび前記第２の入出力セパレータに出力することとを行うように構成されており、
前記第１の入出力セパレータは、前記第４の光信号を前記第１のビーム合成サブモジュールに出力するようにさらに構成されており、前記第２の入出力セパレータは、前記第５の光信号を前記第１のビーム合成サブモジュールに出力するようにさらに構成されており、
前記第１のビーム合成サブモジュールは、前記第４の光信号を、偏光状態が前記第５の光信号の偏光状態とは異なる第６の光信号に変換することと、前記第５の光信号および前記第６の光信号に対してビーム合成を実施することと、第１の出力端部を使用することによって、合成された光信号を出力することとを行うように構成されている、
光学構成要素。
【請求項２】
前記第４の光信号および前記第５の光信号は、それぞれ、前記第２の光信号および前記第３の光信号中にあり、前記偏光感応性光学構成要素の共振条件を満たす光信号である請求項１に記載の光学構成要素。
【請求項３】
第２の光経路モジュールをさらに備え、各第２の光経路モジュールは、第２のビームスプリッティングサブモジュール、第３の入出力セパレータ、第４の入出力セパレータ、および第２のビーム合成サブモジュールを備え、
前記偏光感応性光学構成要素は、前記第２の光信号に基づいて第７の光信号を取得することと、前記第３の光信号に基づいて第８の光信号を取得することと、前記第７の光信号および前記第８の光信号をそれぞれ前記第３の入出力セパレータおよび前記第４の入出力セパレータに出力することとを行うようにさらに構成されており、前記第７の光信号および前記第８の光信号は、それぞれ、前記第２の光信号および前記第３の光信号中にあり、前記偏光感応性光学構成要素の前記共振条件を満たさない光信号であり、
前記第３の入出力セパレータは、前記第７の光信号を前記第２のビーム合成サブモジュールに出力するように構成されており、
前記第４の入出力セパレータは、前記第８の光信号を前記第２のビーム合成サブモジュールに出力するように構成されており、
前記第２のビーム合成サブモジュールは、前記第７の光信号を、偏光状態が前記第８の光信号の偏光状態とは異なる第９の光信号に変換することと、前記第８の光信号および前記第９の光信号に対してビーム合成を実施することと、第２の出力端部を使用することによって、合成された光信号を出力することとを行うように構成されている
請求項２に記載の光学構成要素。
【請求項４】
前記第２のビームスプリッティングサブモジュールは、第２の入力端部を使用することによって入力光信号を受信し、前記入力光信号を、偏光状態が異なる第１０の光信号および第１１の光信号に分割することと、前記第１０の光信号を、偏光状態が前記第１１の光信号の偏光状態と同じである第１２の光信号に変換することと、前記第１２の光信号を前記第３の入出力セパレータに出力することと、前記第１１の光信号を前記第４の入出力セパレータに出力することとを行うように構成されており、
前記第３の入出力セパレータは、前記第１２の光信号を前記偏光感応性光学構成要素に出力するように構成されており、
前記第４の入出力セパレータは、前記第１１の光信号を前記偏光感応性光学構成要素に出力するように構成されており、
前記偏光感応性光学構成要素は、前記第１１の光信号に基づいて第１３の光信号を取得することと、前記第１２の光信号に基づいて第１４の光信号を取得することと、前記第１３の光信号および前記第１４の光信号を前記第３の入出力セパレータおよび前記第４の入出力セパレータに出力することとを行うように構成されており、
前記第３の入出力セパレータは、前記第１３の光信号を前記第２のビーム合成サブモジュールに出力するようにさらに構成されており、前記第４の入出力セパレータは、前記第１４の光信号を前記第２のビーム合成サブモジュールに出力するようにさらに構成されており、前記第１３の光信号および前記第１４の光信号は、それぞれ、前記第１１の光信号および前記第１２の光信号中にあり、前記偏光感応性光学構成要素の前記共振条件を満たす光信号であり、
前記第２のビーム合成サブモジュールは、前記第１３の光信号を、偏光状態が前記第１４の光信号の偏光状態とは異なる第１５の光信号に変換することと、前記第１４の光信号および前記第１５の光信号に対してビーム合成を実施することと、前記第２の出力端部を使用することによって、合成された光信号を出力することとを行うように構成されている
請求項３に記載の光学構成要素。
【請求項５】
前記偏光感応性光学構成要素は、前記第１１の光信号に基づいて第１６の光信号を取得することと、前記第１２の光信号に基づいて第１７の光信号を取得することと、前記第１６の光信号および前記第１７の光信号を前記第１の入出力セパレータおよび前記第２の入出力セパレータに出力することとを行うように構成されており、
前記第１の入出力セパレータは、前記第１６の光信号を前記第１のビーム合成サブモジュールに出力するようにさらに構成されており、前記第２の入出力セパレータは、前記第１７の光信号を前記第１のビーム合成サブモジュールに出力するようにさらに構成されており、前記第１６の光信号および前記第１７の光信号は、それぞれ、前記第１１の光信号および前記第１２の光信号中にあり、前記偏光感応性光学構成要素の前記共振条件を満たさない光信号であり、
前記第１のビーム合成サブモジュールは、前記第１６の光信号を、偏光状態が前記第１７の光信号の偏光状態とは異なる第１８の光信号に変換することと、前記第１７の光信号および前記第１８の光信号に対してビーム合成を実施することと、前記第１の出力端部を使用することによって、合成された光信号を出力することとを行うように構成されている
請求項４に記載の光学構成要素。
【請求項６】
前記第４の光信号および前記第５の光信号は、それぞれ、前記第２の光信号および前記第３の光信号中にあり、前記偏光感応性光学構成要素の共振条件を満たさない光信号である請求項１に記載の光学構成要素。
【請求項７】
第２の光経路モジュールをさらに備え、各第２の光経路モジュールは、第２のビームスプリッティングサブモジュール、第３の入出力セパレータ、第４の入出力セパレータ、および第２のビーム合成サブモジュールを備え、
前記偏光感応性光学構成要素は、前記第２の光信号に基づいて第７の光信号を取得し、前記第３の光信号に基づいて第８の光信号を取得し、前記第７の光信号および前記第８の光信号をそれぞれ前記第３の入出力セパレータおよび前記第４の入出力セパレータに出力し、前記第７の光信号および前記第８の光信号は、それぞれ、前記第２の光信号および前記第３の光信号中にあり、前記偏光感応性光学構成要素の前記共振条件を満たす光信号であり、
前記第３の入出力セパレータは、前記第７の光信号を前記第２のビーム合成サブモジュールに出力するように構成されており、
前記第４の入出力セパレータは、前記第８の光信号を前記第２のビーム合成サブモジュールに出力するように構成されており、
前記第２のビーム合成サブモジュールは、前記第７の光信号を、偏光状態が前記第８の光信号の偏光状態とは異なる第９の光信号に変換することと、前記第８の光信号および前記第９の光信号に対してビーム合成を実施することと、第２の出力端部を使用することによって、合成された光信号を出力することとを行うように構成されている
請求項６に記載の光学構成要素。
【請求項８】
前記第２のビームスプリッティングサブモジュールは、第２の入力端部を使用することによって入力光信号を受信し、前記入力光信号を、偏光状態が異なる第１０の光信号および第１１の光信号に分割することと、前記第１０の光信号を、偏光状態が前記第１１の光信号の偏光状態と同じである第１２の光信号に変換することと、前記第１２の光信号を前記第３の入出力セパレータに出力することと、前記第１１の光信号を前記第４の入出力セパレータに出力することとを行うように構成されており、
前記第３の入出力セパレータは、前記第１２の光信号を前記偏光感応性光学構成要素に出力するように構成されており、
前記第４の入出力セパレータは、前記第１１の光信号を前記偏光感応性光学構成要素に出力するように構成されており、
前記偏光感応性光学構成要素は、前記第１１の光信号に基づいて第１３の光信号を取得することと、前記第１２の光信号に基づいて第１４の光信号を取得することと、前記第１３の光信号および前記第１４の光信号を前記第３の入出力セパレータおよび前記第４の入出力セパレータに出力することとを行うように構成されており、
前記第３の入出力セパレータは、前記第１３の光信号を前記第４の入出力セパレータに出力するようにさらに構成されており、前記第４の入出力セパレータは、前記第１４の光信号を前記第３の入出力セパレータに出力するようにさらに構成されており、前記第１３の光信号および前記第１４の光信号は、それぞれ、前記第１１の光信号および前記第１２の光信号中にあり、前記偏光感応性光学構成要素の前記共振条件を満たさない光信号であり、
前記第２のビーム合成サブモジュールは、前記第１３の光信号を、偏光状態が前記第１４の光信号の偏光状態とは異なる第１５の光信号に変換することと、前記第１４の光信号および前記第１５の光信号に対してビーム合成を実施することと、前記第２の出力端部を使用することによって、合成された光信号を出力することとを行うように構成されている
請求項７に記載の光学構成要素。
【請求項９】
前記偏光感応性光学構成要素は、前記第１１の光信号に基づいて第１６の光信号を取得することと、前記第１２の光信号に基づいて第１７の光信号を取得することと、前記第１６の光信号および前記第１７の光信号を前記第１の入出力セパレータおよび前記第２の入出力セパレータに出力することとを行うように構成されており、
前記第１の入出力セパレータは、前記第１６の光信号を前記第１のビーム合成サブモジュールに出力するようにさらに構成されており、前記第２の入出力セパレータは、前記第１７の光信号を前記第１のビーム合成サブモジュールに出力するようにさらに構成されており、前記第１６の光信号および前記第１７の光信号は、それぞれ、前記第１１の光信号および前記第１２の光信号中にあり、前記偏光感応性光学構成要素の前記共振条件を満たす光信号であり、
前記第１のビームスプリッティングサブモジュールは、前記第１６の光信号を、偏光状態が前記第１７の光信号の偏光状態とは異なる第１８の光信号に変換することと、前記第１７の光信号および前記第１８の光信号に対してビーム合成を実施することと、前記第１の出力端部を使用することによって、合成された光信号を出力することとを行うように構成されている
請求項８に記載の光学構成要素。
【請求項１０】
光学構成要素によって、前記光学構成要素の第１の入力端部を使用することによって入力光信号を受信し、前記入力光信号を、偏光状態が異なる第１の光信号および第２の光信号に分割し、前記第１の光信号を、偏光状態が前記第２の光信号の偏光状態と同じである第３の光信号に変換するステップと、
前記光学構成要素によって、前記第２の光信号に基づいて第４の光信号を取得し、前記第３の光信号に基づいて第５の光信号を取得するステップと、
前記光学構成要素によって、前記第４の光信号を、偏光状態が前記第５の光信号の偏光状態とは異なる第６の光信号に変換し、前記第５の光信号および前記第６の光信号に対してビーム合成を実施し、前記光学構成要素の第１の出力端部を使用することによって、合成された光信号を出力するステップと
を備える、光信号処理方法。
【請求項１１】
前記光学構成要素は偏光感応性光学構成要素を備え、前記第４の光信号および前記第５の光信号は、それぞれ、前記第２の光信号および前記第３の光信号中にあり、前記偏光感応性光学構成要素の共振条件を満たす光信号である請求項１０に記載の方法。
【請求項１２】
前記光学構成要素によって、前記第２の光信号に基づいて第７の光信号を取得し、前記第３の光信号に基づいて第８の光信号を取得するステップであって、前記第７の光信号および前記第８の光信号が、それぞれ、前記第２の光信号および前記第３の光信号中にあり、前記偏光感応性光学構成要素の前記共振条件を満たさない光信号である、ステップと、
前記光学構成要素によって、前記第７の光信号を、偏光状態が前記第８の光信号の偏光状態とは異なる第９の光信号に変換し、前記第８の光信号および前記第９の光信号に対してビーム合成を実施し、前記光学構成要素の第２の出力端部を使用することによって、合成された光信号を出力するステップと
をさらに備える請求項１１に記載の方法。
【請求項１３】
前記光学構成要素によって、前記光学構成要素の第２の入力端部を使用することによって入力光信号を受信し、前記入力光信号を、偏光状態が異なる第１０の光信号および第１１の光信号に分割し、前記第１０の光信号を、偏光状態が前記第１１の光信号の偏光状態と同じである第１２の光信号に変換するステップと、
前記光学構成要素によって、前記第１１の光信号に基づいて第１３の光信号を取得し、前記第１２の光信号に基づいて第１４の光信号を取得するステップであって、前記第１３の光信号および前記第１４の光信号は、それぞれ、前記第１１の光信号および前記第１２の光信号中にあり、前記偏光感応性光学構成要素の前記共振条件を満たす光信号である、ステップと、
前記光学構成要素によって、前記第１３の光信号を、偏光状態が前記第１４の光信号の偏光状態とは異なる第１５の光信号に変換し、前記第１４の光信号および前記第１５の光信号に対してビーム合成を実施し、前記第２の出力端部を使用することによって、合成された光信号を出力するステップと
をさらに備える請求項１２に記載の方法。
【請求項１４】
前記光学構成要素によって、前記第１１の光信号に基づいて第１６の光信号を取得し、前記第１２の光信号に基づいて第１７の光信号を取得するステップであって、前記第１６の光信号および前記第１７の光信号は、それぞれ、前記第１１の光信号および前記第１２の光信号中にあり、前記偏光感応性光学構成要素の前記共振条件を満たさない光信号である、ステップと、
前記光学構成要素によって、前記第１６の光信号を、偏光状態が前記第１７の光信号の偏光状態とは異なる第１８の光信号に変換し、前記第１７の光信号および前記第１８の光信号に対してビーム合成を実施し、前記第１の出力端部を使用することによって、合成された光信号を出力するステップと
をさらに備える請求項１３に記載の方法。
【請求項１５】
前記光学構成要素は偏光感応性光学構成要素を備え、前記第４の光信号および前記第５の光信号は、それぞれ、前記第２の光信号および前記第３の光信号中にあり、前記偏光感応性光学構成要素の共振条件を満たさない光信号である請求項１０に記載の方法。
【請求項１６】
前記光学構成要素によって、前記第２の光信号に基づいて第７の光信号を取得し、前記第３の光信号に基づいて第８の光信号を取得するステップであって、前記第７の光信号および前記第８の光信号は、それぞれ、前記第２の光信号および前記第３の光信号中にあり、前記偏光感応性光学構成要素の前記共振条件を満たす光信号である、ステップと、
前記光学構成要素によって、前記第７の光信号を、偏光状態が前記第８の光信号の偏光状態とは異なる第９の光信号に変換し、前記第８の光信号および前記第９の光信号に対してビーム合成を実施し、前記光学構成要素の第２の出力端部を使用することによって、合成された光信号を出力するステップと
をさらに備える請求項１５に記載の方法。
【請求項１７】
前記光学構成要素によって、第２の入力端部を使用することによって入力光信号を受信し、前記入力光信号を、偏光状態が異なる第１０の光信号および第１１の光信号に分割し、前記第１０の光信号を、偏光状態が前記第１１の光信号の偏光状態と同じである第１２の光信号に変換するステップと、
前記光学構成要素によって、前記第１１の光信号に基づいて第１３の光信号を取得し、前記第１２の光信号に基づいて第１４の光信号を取得するステップであって、前記第１３の光信号および前記第１４の光信号は、それぞれ、前記第１１の光信号および前記第１２の光信号中にあり、前記偏光感応性光学構成要素の前記共振条件を満たさない光信号である、ステップと、
前記光学構成要素によって、前記第１３の光信号を、偏光状態が前記第１４の光信号の偏光状態とは異なる第１５の光信号に変換し、前記第１４の光信号および前記第１５の光信号に対してビーム合成を実施し、前記第２の出力端部を使用することによって、合成された光信号を出力するステップと
をさらに備える請求項１６に記載の方法。
【請求項１８】
前記光学構成要素によって、前記第１１の光信号に基づいて第１６の光信号を取得し、前記第１２の光信号に基づいて第１７の光信号を取得するステップであって、前記第１６の光信号および前記第１７の光信号は、それぞれ、前記第１１の光信号および前記第１２の光信号中にあり、前記偏光感応性光学構成要素の前記共振条件を満たす光信号である、ステップと、
前記光学構成要素によって、前記第１６の光信号を、偏光状態が前記第１７の光信号の偏光状態とは異なる第１８の光信号に変換し、前記第１７の光信号および前記第１８の光信号に対してビーム合成を実施し、前記第１の出力端部を使用することによって、合成された光信号を出力するステップと
をさらに備える請求項１７に記載の方法。
【国際調査報告】
2019531503.tif 000026
2019531503.tif 000027
2019531503.tif 000028
2019531503.tif 000029